(57)【特許請求の範囲】
【請求項１】
通信装置であって、
アクセスネットワーク装置から要件指示情報を受信するよう構成される受信モジュールであって、前記要件指示情報は前記通信装置が無線リソース管理（ＲＲＭ）要件を満たす必要があることを示し、前記ＲＲＭ要件は、高速モバイル通信環境に適する、受信モジュールと、
前記要件指示情報に従い、前記ＲＲＭ要件が満たされる必要のあることを決定するよう構成される処理モジュールと、
を含み、
前記処理モジュールは、前記高速モバイル通信環境に適するプリセットＲＲＭパラメータのうちの少なくとも１つに従い、ＲＲＭポリシを調整するよう更に構成され、前記プリセットＲＲＭパラメータは測定パラメータを含み、前記処理モジュールは、前記通信装置が接続状態であるとき、前記測定パラメータに従い測定報告を実行するよう構成され、
前記測定パラメータは２００ミリ秒より少なく、０．０４秒以下の不連続受信サイクルに対応する前記測定パラメータは２００ミリ秒より少ない、又は、０．０４秒より大きく且つ２．５６秒より少ない不連続受信サイクルに対応する前記測定パラメータは５不連続受信サイクルより少ない、通信装置。
【請求項２】
前記アクセスネットワーク装置から前記要件指示情報を受信する際に、前記受信モジュールは、具体的に、
前記アクセスネットワーク装置から無線リソース制御（ＲＲＣ）専用シグナリングを受信し、前記ＲＲＣ専用シグナリングは前記要件指示情報を伝達し、又は、
前記アクセスネットワーク装置からシステムメッセージを受信し、前記システムメッセージは前記要件指示情報を伝達する、
よう構成される、請求項１に記載の通信装置。
【請求項３】
高速調整能力情報を前記アクセスネットワーク装置へ送信するよう構成される送信モジュールであって、前記高速調整能力情報は、前記通信装置が前記ＲＲＭ要件をサポートする能力を有することを示す、送信モジュール、
を含む請求項１又は２のいずれか一項に記載の通信装置。
【請求項４】
前記高速モバイル通信環境に適する前記プリセットＲＲＭパラメータのうちの少なくとも１つに従い、前記ＲＲＭポリシを調整する際に、前記プリセットＲＲＭパラメータは接続状態における目標セル識別時間パラメータを更に含み、前記処理モジュールは、前記通信装置が接続状態であるとき、プリセット目標セル識別時間パラメータに従い、目標セル識別を実行するよう構成され、０．０４秒より大きく且つ０．０８秒を超えない不連続受信サイクルに対応する前記目標セル識別時間パラメータは１５不連続受信サイクルより少なく、０．１２８秒の不連続受信サイクルに対応する前記目標セル識別時間パラメータは２０不連続受信サイクルより少ない、請求項１乃至３のいずれか一項に記載の通信装置。
【請求項５】
アクセスネットワーク装置であって、
要件指示情報を生成するよう構成される処理モジュールであって、前記要件指示情報は、通信装置が無線リソース管理（ＲＲＭ）要件を満たす必要があることを示し、前記ＲＲＭ要件は高速モバイル通信環境に適する、処理モジュールと、
前記要件指示情報を前記通信装置へ送信するよう構成される送信モジュールと、
を含み、
前記ＲＲＭ要件はＲＲＭパラメータのうちの少なくとも１つに対応し、前記ＲＲＭパラメータは、測定報告を実行するために使用される、接続状態における測定パラメータを含み、前記測定パラメータは２００ミリ秒より少なく、０．０４秒以下の不連続受信サイクルに対応する前記測定パラメータは２００ミリ秒より少ない、又は、０．０４秒より大きく且つ２．５６秒より少ない不連続受信サイクルに対応する前記測定パラメータは５不連続受信サイクルより少ない、アクセスネットワーク装置。
【請求項６】
前記通信装置から高速調整能力情報を受信するよう構成される受信モジュール、を更に含み、
前記処理モジュールは、前記高速調整能力情報に従い、前記通信装置が前記ＲＲＭ要件をサポートする能力を有することを決定し、前記要件指示情報を前記通信装置へ送信するよう前記送信モジュールを制御するよう更に構成される、
請求項５に記載のアクセスネットワーク装置。
【請求項７】
前記要件指示情報を前記通信装置へ送信する際に、前記送信モジュールは、具体的に、
無線リソース制御（ＲＲＣ）専用シグナリングを前記通信装置へ送信し、前記ＲＲＣ専用シグナリングは前記要件指示情報を伝達し、又は、
システムメッセージを前記通信装置へ送信し、前記システムメッセージは前記要件指示情報を伝達する、
よう構成される、請求項５又は６に記載のアクセスネットワーク装置。
【請求項８】
前記ＲＲＭパラメータは、目標セル識別を実行するために使用される、接続状態における目標セル識別時間パラメータを更に含み、０．０４秒より大きく且つ０．０８秒を超えない不連続受信サイクルに対応する接続状態における前記目標セル識別時間パラメータは１５不連続受信サイクルより少なく、０．１２８秒の不連続受信サイクルに対応する接続状態における前記目標セル識別時間パラメータは２０不連続受信サイクルより少ない、請求項５乃至７のいずれか一項に記載のアクセスネットワーク装置。
【請求項９】
通信装置により実行される通信方法であって、
アクセスネットワーク装置から要件指示情報を受信するステップであって、前記要件指示情報は前記通信装置が無線リソース管理（ＲＲＭ）要件を満たす必要があることを示し、前記ＲＲＭ要件は、高速モバイル通信環境に適する、ステップと、
前記要件指示情報に従い、前記ＲＲＭ要件が満たされる必要のあるすることを決定するステップと、
前記高速モバイル通信環境に適するプリセット無線リソース管理（ＲＲＭ）パラメータに従い、ＲＲＭポリシを調整するステップであって、前記プリセットＲＲＭパラメータは測定パラメータを含み、前記通信装置が接続状態であるとき、前記測定パラメータに従い測定報告を実行するステップを含む、ステップと、
を含み、
前記測定パラメータは２００ミリ秒より少なく、０．０４秒以下の不連続受信サイクルに対応する前記測定パラメータは２００ミリ秒より少ない、又は、０．０４秒より大きく且つ２．５６秒より少ない不連続受信サイクルに対応する前記測定パラメータは５不連続受信サイクルより少ない、方法。
【請求項１０】
前記アクセスネットワーク装置から前記要件指示情報を受信する前記ステップは、
前記アクセスネットワーク装置から無線リソース制御（ＲＲＣ）専用シグナリングを受信するステップであって、前記ＲＲＣ専用シグナリングは前記要件指示情報を伝達するステップ、又は、
前記アクセスネットワーク装置からシステムメッセージを受信するステップであって、前記システムメッセージは前記要件指示情報を伝達する、ステップ、
を含む、請求項９に記載の方法。
【請求項１１】
アクセスネットワーク装置から要件指示情報を受信する前記ステップの前に、前記方法は、
高速調整能力情報を前記アクセスネットワーク装置に報告するステップであって、前記高速調整能力情報は、前記通信装置が前記ＲＲＭ要件をサポートする能力を有することを示すために使用される、ステップ、
を更に含む請求項９又は１０に記載の方法。
【請求項１２】
前記プリセットＲＲＭパラメータは目標セル識別時間パラメータを更に含み、
前記高速モバイル通信環境に適するプリセットＲＲＭパラメータのうちの少なくとも１つに従い、ＲＲＭポリシを調整する前記ステップは、
前記通信装置が接続状態であるとき、前記目標セル識別時間パラメータに従い、目標セル識別を実行するステップであって、０．０４秒より大きく且つ０．０８秒を超えない不連続受信サイクルに対応する前記目標セル識別時間パラメータは１５不連続受信サイクルより少なく、０．１２８秒の不連続受信サイクルに対応する前記目標セル識別時間パラメータは２０不連続受信サイクルより少ない、請求項９乃至１０のいずれか一項に記載の方法。
【請求項１３】
通信方法であって、
要件指示情報を生成するステップであって、前記要件指示情報は、通信装置が無線リソース管理（ＲＲＭ）要件を満たす必要があることを示すために使用され、前記ＲＲＭ要件は高速モバイル通信環境に適する、ステップと、
前記要件指示情報を前記通信装置へ送信するステップと、
を含み、
前記ＲＲＭ要件はＲＲＭパラメータのうちの少なくとも１つに対応し、前記ＲＲＭパラメータは、測定報告を実行するために使用される、接続状態における測定パラメータを含み、前記測定パラメータは２００ミリ秒より少なく、０．０４秒以下の不連続受信サイクルに対応する前記測定パラメータは２００ミリ秒より少ない、又は、０．０４秒より大きく且つ２．５６秒より少ない不連続受信サイクルに対応する前記測定パラメータは５不連続受信サイクルより少ない、方法。
【請求項１４】
前記要件指示情報を前記通信装置へ送信する前記ステップの前に、前記方法は、
前記通信装置から高速調整能力情報を受信するステップ、を更に含み、
前記要件指示情報を前記通信装置へ送信する前記ステップは、
前記高速調整能力情報に従い、前記通信装置が前記ＲＲＭ要件をサポートする能力を有することを決定し、前記要件指示情報を前記通信装置へ送信するステップ、を含む、
請求項１３に記載の方法。
【請求項１５】
前記要件指示情報を前記通信装置へ送信する前記ステップは、
無線リソース制御（ＲＲＣ）専用シグナリングを前記通信装置へ送信するステップであって、前記ＲＲＣ専用シグナリングは前記要件指示情報を伝達する、ステップ、又は、
システムメッセージを前記通信装置へ送信するステップであって、前記システムメッセージは前記要件指示情報を伝達する、ステップ、
を含む、請求項１３又は１４に記載の方法。
【請求項１６】
前記ＲＲＭパラメータは、目標セル識別を実行するために使用される、接続状態における目標セル識別時間パラメータを更に含み、０．０４秒より大きく且つ０．０８秒を超えない不連続受信サイクルに対応する接続状態における前記目標セル識別時間パラメータは１５不連続受信サイクルより少なく、０．１２８秒の不連続受信サイクルに対応する接続状態における前記目標セル識別時間パラメータは２０不連続受信サイクルより少ない、請求項１３乃至１５のいずれか一項に記載の方法。
【請求項１７】
コンピュータに請求項９乃至１２のいずれか一項に記載の方法を実行させるプログラム。
【請求項１８】
コンピュータに請求項１３乃至１６のいずれか一項に記載の方法を実行させるプログラム。
【発明の詳細な説明】
【技術分野】
【０００１】
本願は、通信分野に関し、特に、アクセスネットワーク装置、ユーザ機器、通信システム、及び通信方法に関する。
【背景技術】
【０００２】
科学技術の時代の変化及び進歩に伴い、人々の周りの車両が増加し、車両の速度がより速くなっている。通信事業者の実際の測定データ及び高速環境におけるモバイル通信の論理的解析に基づくと、高速環境におけるモバイル通信は、従来のセルラネットワーク通信と比べて多くの問題を有する。
【０００３】
従来、高速移動状態の（例えば、高速列車内の）ユーザ機器（user  equipment、ＵＥ）は、依然として通常のセルラネットワークにおける無線リソース管理（radio  resource  management、ＲＲＭ）アルゴリズムパラメータを用いて、測定、セル選択若しくは再選択、ハンドオーバ、及び無線リンク監視のような無線リソース測定を実行する場合に、ＵＥが非常に高速で移動するので、図１に示す状況が容易に生じる。ＵＥは目標セルを通過するが、ＲＲＭは上手く完了できない。
【０００４】
例えば、ＵＥは、３５０ｋｍ／ｈの速度の高速列車（high  speed  train、ＨＳＴ）内に位置し、セルは５００メートルの間隔である。アイドル状態のＵＥが通常セルラネットワークにおいて０．３２秒の不連続受信（discontinuous  reception、ＤＲＸ）サイクルを用いてセル再選択を実行する場合、ＵＥが３６ＤＲＸサイクル（つまり、１１．５２秒）以内に周波数内セルに対して識別及び評価を完了するならば、再選択条件は満たされ得る。しかしながら、１１．５２秒の要件によると、ＵＥの進む最大距離は１１２０メートルになることがある。したがって、ＵＥが目標セルを通過するが、未だ目標セルに留まることができない場合が容易に生じる。したがって、システム性能は大幅に低下する。
【０００５】
どのように高速モバイル通信環境においてＲＲＭ要件を満たしネットワーク性能を向上するかが、現在の研究のホットスポットである。
【発明の概要】
【０００６】
本願の実施形態において解決されるべき技術的課題は、高速モバイル通信環境に適するＲＲＭ要件を満たすため及びネットワーク性能を保証し向上するために、アクセスネットワーク装置、ユーザ機器、通信システム、及び通信方法を提供することである。
【０００７】
第１の態様によると、アクセスネットワーク装置であって、要件指示情報を生成するよう構成される処理モジュールであって、前記要件指示情報は、ユーザ機器ＵＥが高速モバイル通信環境に適する無線リソース管理ＲＲＭ要件を満たす必要のあることを示すために使用される、処理モジュールと、前記要件指示情報をセルのカバレッジ内にいる前記ＵＥへ送信するよう構成される送信モジュールと、を含むアクセスネットワーク装置が提供される。
【０００８】
第１の態様を参照して、第１の可能な実装では、前記送信モジュールは、具体的に、
無線リソース制御ＲＲＣ専用シグナリングを前記セルの前記カバレッジ内にいる前記ＵＥへ送信し、前記ＲＲＣ専用シグナリングは、前記要件指示情報を伝達し、又は、
システムメッセージを前記セルの前記カバレッジ内にいる前記ＵＥへ送信し、前記システムメッセージは、前記要件指示情報を伝達する、
よう構成される。
【０００９】
第１の態様又は第１の態様の第１の可能な実装を参照して、第２の可能な実装では、前記要件指示情報は速度レベル情報を含み、前記速度レベル情報は、前記高速モバイル通信環境の速度レベルを示すために使用され、前記高速モバイル通信環境の前記速度レベルは、前記ＵＥが前記高速モバイル通信環境の中にいるか否かを前記ＵＥに決定させるために使用される。
【００１０】
第１の態様、第１の態様の第１の可能な実装、又は第１の態様の第２の可能な実装を参照して、第３の可能な実装では、前記要件指示情報は、高速専用セル識別子の範囲情報を含み、前記高速専用セル識別子の前記範囲情報は、前記高速モバイル通信環境の中に位置する前記セルを示すために使用される。
【００１１】
第１の態様、第１の態様の第１の可能な実装、第１の態様の第２の可能な実装、又は第１の態様の第３の可能な実装を参照して、第４の可能な実装では、前記アクセスネットワーク装置は、前記ＵＥにより報告される高速調整能力情報を受信するよう構成される受信モジュール、を更に含み、
前記処理モジュールは、前記高速調整能力情報に従い、前記ＵＥが、前記高速モバイル通信環境に適する前記ＲＲＭ要件をサポートする能力を有することを決定し、前記要件情報を前記ＵＥへ送信するよう前記送信モジュールを制御するよう更に構成される。
【００１２】
第１の態様、第１の態様の第１の可能な実装、第１の態様の第２の可能な実装、第１の態様の第３の可能な実装、又は第１の態様の第４の可能な実装を参照して、第５の可能な実装では、前記処理モジュールは、不連続受信サイクル指示情報を前記ＵＥへ送信するよう前記送信モジュールを制御するよう更に構成され、前記不連続受信サイクル指示情報は不連続受信サイクルを示すために使用され、前記不連続受信サイクルは０．３２秒未満である。
【００１３】
第１の態様、第１の態様の第１の可能な実装、第１の態様の第２の可能な実装、第１の態様の第３の可能な実装、第１の態様の第４の可能な実装、又は第１の態様の第５の可能な実装を参照して、第６の可能な実装では、前記処理モジュールは、時間期間パラメータ指示情報を前記ＵＥへ送信するよう前記送信モジュールを制御するよう更に構成され、前記時間期間パラメータ指示情報はＴ３１０タイマの時間期間パラメータを示すために使用され、前記時間期間パラメータは２秒より大きい。
【００１４】
第２の態様によると、ユーザ機器であって、
アクセスネットワーク装置により送信された要件指示情報を受信するよう構成される受信モジュールであって、前記要件指示情報は、前記ユーザ機器が高速モバイル通信環境に適する無線リソース管理ＲＲＭ要件を満たす必要のあることを示すために使用される、受信モジュールと、
前記要件指示情報に従い、前記高速モバイル通信環境に適する前記ＲＲＭ要件が満たされる必要のあることを決定するよう構成される処理モジュールと、
を含むユーザ機器が提供される。
【００１５】
第２の態様を参照して、第１の可能な実装では、前記処理モジュールは、前記高速モバイル通信環境に適するプリセットＲＲＭパラメータに従い、ＲＲＭポリシを調整するよう更に構成される。
【００１６】
第２の態様又は第２の態様の第１の可能な実装を参照して、第２の可能な実装では、前記要件指示情報は速度レベル情報を含み、前記速度レベル情報は、前記高速モバイル通信環境の速度レベルを示すために使用され、
前記処理モジュールは、以下の方法：前記速度レベル情報に従い、前記高速モバイル通信環境に適する前記ＲＲＭ要件が満たされることを決定することで、前記高速モバイル通信環境に適する前記ＲＲＭ要件が満たされる必要のあることを決定するよう構成される。
【００１７】
第２の態様又は第２の態様の第１の可能な実装を参照して、第３の可能な実装では、前記要件指示情報は、高速専用セル識別子の範囲情報を含み、前記高速専用セル識別子の前記範囲情報は、前記高速モバイル通信環境の中に位置するセルを示すために使用され、
前記処理モジュールは、以下の方法：現在アクセスされているセルのセル識別子が前記高速専用セル識別子の範囲内に含まれると決定された場合に、前記高速モバイル通信環境に適する前記ＲＲＭ要件が満たされる必要のあることを決定することで、前記高速モバイル通信環境に適する前記ＲＲＭ要件が満たされる必要のあることを決定するよう構成される。
【００１８】
第２の態様、第２の態様の第１の可能な実装、第２の態様の第２の可能な実装、又は第２の態様の第３の可能な実装を参照して、第４の可能な実装では、前記ユーザ機器は、
高速調整能力情報を前記アクセスネットワーク装置に報告するよう構成される送信モジュールであって、前記高速調整能力情報は、前記ＵＥが前記高速モバイル通信環境に適する前記ＲＲＭ要件をサポートする能力を有することを示すために使用される、送信モジュール、を更に含む。
【００１９】
第２の態様の第１の可能な実装、第２の態様の第２の可能な実装、第２の態様の第３の可能な実装、又は第２の態様の第４の可能な実装を参照して、第５の可能な実装では、前記受信モジュールは、不連続受信サイクル指示情報を前記アクセスネットワーク装置から受信するよう更に構成され、前記不連続受信サイクル指示情報は不連続受信サイクルを示すために使用され、前記不連続受信サイクルは０．３２秒未満であり、前記処理モジュールは、前記ユーザ機器がアイドル状態のとき、前記不連続受信サイクルに従い周波数内セル再選択を実行するよう更に構成される。
【００２０】
第２の態様の第１の可能な実装、第２の態様の第２の可能な実装、第２の態様の第３の可能な実装、第２の態様の第４の可能な実装、又は第２の態様の第５の可能な実装を参照して、第６の可能な実装では、前記処理モジュールは、前記ユーザ機器が前記アイドル状態であるとき、セル再選択処理のプリセット評価時間パラメータに従い、周波数内セル再選択を実行するよう更に構成され、前記セル再選択処理の前記評価時間パラメータの中で、２．５６秒の不連続受信サイクルに対応する評価時間パラメータは７．６８秒未満であり、１．２８秒の不連続受信サイクルに対応する評価時間パラメータは６．４秒未満であり、０．６４秒の不連続受信サイクルに対応する評価時間パラメータは５．１２秒未満であり、又は、０．３２秒の不連続受信サイクルに対応する評価時間パラメータは５．１２秒未満である。
【００２１】
第２の態様の第１の可能な実装、第２の態様の第２の可能な実装、第２の態様の第３の可能な実装、第２の態様の第４の可能な実装、第２の態様の第５の可能な実装、又は第２の態様の第６の可能な実装を参照して、第７の可能な実装では、前記処理モジュールは、前記ユーザ機器が前記アイドル状態のとき、前記セル再選択処理のプリセット識別時間パラメータに従い、周波数内セル再選択を実行するよう更に構成され、前記セル再選択処理の前記識別時間パラメータは、２０不連続受信サイクルより小さい。
【００２２】
第２の態様の第１の可能な実装、第２の態様の第２の可能な実装、第２の態様の第３の可能な実装、第２の態様の第４の可能な実装、第２の態様の第５の可能な実装、第２の態様の第６の可能な実装、又は第２の態様の第７の可能な実装を参照して、第８の可能な実装では、前記処理モジュールは、前記ユーザ機器が接続状態であるとき、プリセット目標セル識別時間パラメータに従い、目標セル識別を実行するよう更に構成され、前記目標セル識別時間パラメータの中で、０．０４秒の不連続受信サイクルに対応する目標セル識別時間パラメータは０．８秒未満であり、０．０４秒より大きく且つ０．０８秒を超えない不連続受信サイクルに対応する目標セル識別時間パラメータは４０不連続受信サイクルより少なく、０．１２８秒の不連続受信サイクルに対応する目標セル識別時間パラメータは２５不連続受信サイクルより少なく、又は、０．１２８秒より大きく且つ２．５６秒を超えない不連続受信サイクルに対応する目標セル識別時間パラメータは２０不連続受信サイクルより少ない。
【００２３】
第２の態様の第１の可能な実装、第２の態様の第２の可能な実装、第２の態様の第３の可能な実装、第２の態様の第４の可能な実装、第２の態様の第５の可能な実装、第２の態様の第６の可能な実装、第２の態様の第７の可能な実装、又は第２の態様の第８の可能な実装を参照して、第９の可能な実装では、前記処理モジュールは、前記ユーザ機器が前記接続状態であるとき、プリセット同期／同期外れ評価周期パラメータに従い、無線リンク監視を実行するよう更に構成され、前記同期／同期外れ評価周期パラメータの中で、０．０１秒より大きく且つ０．０４秒を超えない不連続受信サイクルに対応する同期／同期外れ評価周期パラメータは２０不連続受信サイクルより少なく、０．０４秒より大きく且つ０．６４秒を超えない不連続受信サイクルに対応する同期／同期外れ評価周期パラメータは１０不連続受信サイクルより少なく、又は、０．６４秒より大きく且つ２．５６秒を超えない不連続受信サイクルに対応する同期／同期外れ評価周期パラメータは５不連続受信サイクルより少ない。
【００２４】
第２の態様の第１の可能な実装、第２の態様の第２の可能な実装、第２の態様の第３の可能な実装、第２の態様の第４の可能な実装、第２の態様の第５の可能な実装、第２の態様の第６の可能な実装、第２の態様の第７の可能な実装、第２の態様の第８の可能、又は第２の態様の第９の可能な実装を参照して、第１０の可能な実装では、前記処理モジュールは、前記ユーザ機器が前記接続状態であるとき、プリセット測定パラメータに従い測定報告を実行するよう更に構成され、前記測定パラメータは２００ミリ秒未満であり、０．０４秒以下の不連続受信サイクルに対応する測定パラメータは２００ミリ秒より小さく、又は０．０４秒より大きく且つ２．５６秒以下の不連続受信サイクルに対応する測定パラメータは５不連続受信サイクルより小さい。
【００２５】
第２の態様の第１の可能な実装、第２の態様の第２の可能な実装、第２の態様の第３の可能な実装、第２の態様の第４の可能な実装、第２の態様の第５の可能な実装、第２の態様の第６の可能な実装、第２の態様の第７の可能な実装、第２の態様の第８の可能、第２の態様の第９の可能な実装、又は第２の態様の第１０の可能な実装を参照して、第１１の可能な実装では、前記受信モジュールは、前記アクセスネットワーク装置から時間期間パラメータ指示情報を受信するよう更に構成され、前記時間期間パラメータ指示情報は、Ｔ３１０タイマの時間期間パラメータを示すために使用され、前記時間期間パラメータは２秒より大きく、
前記処理モジュールは、前記ユーザ機器がトンネル通信環境において接続状態であるとき、前記Ｔ３１０タイマの時間期間パラメータを用いる物理レイヤ問題の検出を有効にするよう更に構成される。
【００２６】
第３の態様によると、通信方法であって、
要件指示情報を生成するステップであって、前記要件指示情報は、ユーザ機器ＵＥが高速モバイル通信環境に適する無線リソース管理ＲＲＭ要件を満たす必要のあることを示すために使用される、ステップと、
前記要件指示情報をセルのカバレッジ内にいる前記ＵＥへ送信するステップと、
を含む方法が提供される。
【００２７】
第３の態様を参照して、第１の可能な実装では、前記要件指示情報をセルのカバレッジ内にいる前記ＵＥへ送信する前記ステップは、
無線リソース制御ＲＲＣ専用シグナリングを前記セルの前記カバレッジ内にいる前記ＵＥへ送信するステップであって、前記ＲＲＣ専用シグナリングは前記要件指示情報を伝達する、ステップ、又は、
システムメッセージを前記セルの前記カバレッジ内にいる前記ＵＥへ送信するステップであって、前記システムメッセージは前記要件指示情報を伝達する、ステップ、
を含む。
【００２８】
第３の態様又は第３の態様の第１の可能な実装を参照して、第２の可能な実装では、前記要件指示情報は速度レベル情報を含み、前記速度レベル情報は、前記高速モバイル通信環境の速度レベルを示すために使用され、前記高速モバイル通信環境の前記速度レベルは、前記ＵＥが前記高速モバイル通信環境の中にいるか否かを前記ＵＥに決定させるために使用される。
【００２９】
第３の態様、第３の態様の第１の可能な実装、又は第３の態様の第２の可能な実装を参照して、第３の可能な実装では、前記要件指示情報は、高速専用セル識別子の範囲情報を含み、前記高速専用セル識別子の前記範囲情報は、前記高速モバイル通信環境の中に位置する前記セルを示すために使用される。
【００３０】
第３の態様、第３の態様の第１の可能な実装、第３の態様の第２の可能な実装、又は第３の態様の第３の可能な実装を参照して、第４の可能な実装では、前記要件指示情報をセルのカバレッジ内にいる前記ＵＥへ送信する前記ステップの前に、前記方法は、前記ＵＥにより報告される高速調整能力情報を受信するステップ、を更に含み、
前記要件指示情報をセルのカバレッジ内にいる前記ＵＥへ送信する前記ステップは、
前記高速調整能力情報に従い、前記ＵＥが、前記高速モバイル通信環境に適する前記ＲＲＭ要件をサポートする能力を有することを決定し、及び前記要件指示情報を前記ＵＥへ送信するステップ、を含む。
【００３１】
第３の態様、第３の態様の第１の可能な実装、第３の態様の第２の可能な実装、第３の態様の第３の可能な実装、又は第３の態様の第４の可能な実装を参照して、第５の可能な実装では、前記要件指示情報をセルのカバレッジ内にいる前記ＵＥへ送信する前記ステップの前に、前記方法は、
不連続受信サイクル指示情報を前記ＵＥへ送信するステップであって、前記不連続受信サイクル指示情報は不連続受信サイクルを示すために使用され、前記不連続受信サイクルは０．３２秒未満である、ステップ、を更に含む。
【００３２】
第３の態様、第３の態様の第１の可能な実装、第３の態様の第２の可能な実装、第３の態様の第３の可能な実装、第３の態様の第４の可能な実装、又は第３の態様の第５の可能な実装を参照して、第６の可能な実装では、前記要件指示情報をセルのカバレッジ内にいる前記ＵＥへ送信する前記ステップの前に、前記方法は、
時間期間パラメータ指示情報を前記ＵＥへ送信するステップであって、前記時間期間パラメータ指示情報はＴ３１０タイマの時間期間パラメータを示すために使用され、前記時間期間パラメータは２秒より大きい、ステップ、を更に含む。
【００３３】
第４の態様によると、通信方法であって、
アクセスネットワーク装置により送信された要件指示情報を受信するステップであって、前記要件指示情報は、ユーザ機器が高速モバイル通信環境に適する無線リソース管理ＲＲＭ要件を満たす必要のあることを示すために使用される、ステップと、
前記要件指示情報に従い、前記高速モバイル通信環境に適する前記ＲＲＭ要件が満たされる必要のあることを決定するステップと、
を含む方法が提供される。
【００３４】
第４の態様を参照して、第１の可能な実装では、前記高速モバイル通信環境に適する前記ＲＲＭ要件が満たされる必要のあることを決定する前記ステップの後に、前記方法は、
前記高速モバイル通信環境に適するプリセットＲＲＭパラメータに従い、ＲＲＭポリシを調整するステップ、を更に含む。
【００３５】
第４の態様又は第４の態様の第１の可能な実装を参照して、第２の可能な実装では、前記要件指示情報は速度レベル情報を含み、前記速度レベル情報は、前記高速モバイル通信環境の速度レベルを示すために使用され、
前記要件指示情報に従い、前記高速モバイル通信環境に適する前記ＲＲＭ要件が満たされる必要のあることを決定する前記ステップは、
前記速度レベル情報に従い、前記高速モバイル通信環境に適する前記ＲＲＭ要件が満たされることを決定するステップ、を含む。
【００３６】
第４の態様又は第４の態様の第１の可能な実装を参照して、第３の可能な実装では、前記要件指示情報は、高速専用セル識別子の範囲情報を含み、前記高速専用セル識別子の前記範囲情報は、前記高速モバイル通信環境の中に位置するセルを示すために使用され、
前記要件指示情報に従い、前記高速モバイル通信環境に適する前記ＲＲＭ要件が満たされる必要のあることを決定する前記ステップは、
現在アクセスされているセルのセル識別子が前記高速専用セル識別子の範囲内に含まれると決定された場合に、前記高速モバイル通信環境に適する前記ＲＲＭ要件が満たされる必要のあることを決定するステップ、を含む。
【００３７】
第４の態様、第４の態様の第１の可能な実装、第４の態様の第２の可能な実装、又は第４の態様の第３の可能な実装を参照して、第４の可能な実装では、前記アクセスネットワーク装置により送信された要件指示情報を受信する前記ステップの前に、前記方法は、
高速調整能力情報を前記アクセスネットワーク装置に報告するステップであって、前記高速調整能力情報は、前記ＵＥが前記高速モバイル通信環境に適する前記ＲＲＭ要件をサポートする能力を有することを示すために使用される、ステップ、を更に含む。
【００３８】
第４の態様の第１の可能な実装、第４の態様の第２の可能な実装、第４の態様の第３の可能な実装、又は第４の態様の第４の可能な実装を参照して、第５の可能な実装では、前記高速モバイル通信環境に適するプリセットＲＲＭパラメータに従い、ＲＲＭポリシを調整する前記ステップの前に、前記方法は、
不連続受信サイクル指示情報を前記アクセスネットワーク装置から受信するステップであって、前記不連続受信サイクル指示情報は不連続受信サイクルを示すために使用され、前記不連続受信サイクルは０．３２秒未満である、ステップ、を更に含み、
前記高速モバイル通信環境に適するプリセットＲＲＭパラメータに従い、ＲＲＭポリシを調整する前記ステップは、
前記ユーザ機器がアイドル状態であるとき、前記不連続受信サイクルに従い周波数内セル再選択を実行するステップ、を含む。
【００３９】
第４の態様の第１の可能な実装、第４の態様の第２の可能な実装、第４の態様の第３の可能な実装、第４の態様の第４の可能な実装、又は第４の態様の第５の可能な実装を参照して、第６の可能な実装では、前記高速モバイル通信環境に適するプリセットＲＲＭパラメータに従いＲＲＭポリシを調整する前記ステップは、
前記ユーザ機器が前記アイドル状態であるとき、セル再選択処理のプリセット評価時間パラメータに従い、周波数内セル再選択を実行するステップであって、前記セル再選択処理の前記評価時間パラメータの中で、２．５６秒の不連続受信サイクルに対応する評価時間パラメータは７．６８秒未満であり、１．２８秒の不連続受信サイクルに対応する評価時間パラメータは６．４秒未満であり、０．６４秒の不連続受信サイクルに対応する評価時間パラメータは５．１２秒未満であり、又は、０．３２秒の不連続受信サイクルに対応する評価時間パラメータは５．１２秒未満である、ステップ、を含む。
【００４０】
第４の態様の第１の可能な実装、第４の態様の第２の可能な実装、第４の態様の第３の可能な実装、第４の態様の第４の可能な実装、第４の態様の第５の可能な実装、又は第４の態様の第６の可能な実装を参照して、第７の可能な実装では、前記高速モバイル通信環境に適するプリセットＲＲＭパラメータに従いＲＲＭポリシを調整する前記ステップは、
前記ユーザ機器が前記アイドル状態のとき、前記セル再選択処理のプリセット識別時間パラメータに従い、周波数内セル再選択を実行するステップであって、前記セル再選択処理の前記識別時間パラメータは、２０不連続受信サイクルより小さい、ステップ、を含む。
【００４１】
第４の態様の第１の可能な実装、第４の態様の第２の可能な実装、第４の態様の第３の可能な実装、第４の態様の第４の可能な実装、第４の態様の第５の可能な実装、第４の態様の第６の可能な実装、又は第４の態様の第７の可能な実装を参照して、第８の可能な実装では、前記高速モバイル通信環境に適するプリセットＲＲＭパラメータに従いＲＲＭポリシを調整する前記ステップは、
前記ユーザ機器が接続状態であるとき、プリセット目標セル識別時間パラメータに従い、目標セル識別を実行するステップであって、前記目標セル識別時間パラメータの中で、０．０４秒の不連続受信サイクルに対応する目標セル識別時間パラメータは０．８秒未満であり、０．０４秒より大きく且つ０．０８秒を超えない不連続受信サイクルに対応する目標セル識別時間パラメータは４０不連続受信サイクルより少なく、０．１２８秒の不連続受信サイクルに対応する目標セル識別時間パラメータは２５不連続受信サイクルより少なく、又は、０．１２８秒より大きく且つ２．５６秒を超えない不連続受信サイクルに対応する目標セル識別時間パラメータは２０不連続受信サイクルより少ない。
【００４２】
第４の態様の第１の可能な実装、第４の態様の第２の可能な実装、第４の態様の第３の可能な実装、第４の態様の第４の可能な実装、第４の態様の第５の可能な実装、第４の態様の第６の可能な実装、第４の態様の第７の可能な実装、又は第４の態様の第８の可能な実装を参照して、第９の可能な実装では、前記高速モバイル通信環境に適するプリセットＲＲＭパラメータに従いＲＲＭポリシを調整する前記ステップは、
前記ユーザ機器が前記接続状態であるとき、プリセット同期／同期外れ評価周期パラメータに従い、無線リンク監視を実行するステップであって、前記同期／同期外れ評価周期パラメータの中で、０．０１秒より大きく且つ０．０４秒を超えない不連続受信サイクルに対応する同期／同期外れ評価周期パラメータは２０不連続受信サイクルより少なく、０．０４秒より大きく且つ０．６４秒を超えない不連続受信サイクルに対応する同期／同期外れ評価周期パラメータは１０不連続受信サイクルより少なく、又は、０．６４秒より大きく且つ２．５６秒を超えない不連続受信サイクルに対応する同期／同期外れ評価周期パラメータは５不連続受信サイクルより少ない。
【００４３】
第４の態様の第１の可能な実装、第４の態様の第２の可能な実装、第４の態様の第３の可能な実装、第４の態様の第４の可能な実装、第４の態様の第５の可能な実装、第４の態様の第６の可能な実装、第４の態様の第７の可能な実装、第４の態様の第８の可能、又は第４の態様の第９の可能な実装を参照して、第１０の可能な実装では、前記高速モバイル通信環境に適するプリセットＲＲＭパラメータに従いＲＲＭポリシを調整する前記ステップは、
前記ユーザ機器が前記接続状態であるとき、プリセット測定パラメータに従い測定報告を実行するステップであって、前記測定パラメータは２００ミリ秒未満であり、０．０４秒以下の不連続受信サイクルに対応する測定パラメータは２００ミリ秒より小さく、又は０．０４秒より大きく且つ２．５６秒以下の不連続受信サイクルに対応する測定パラメータは５不連続受信サイクルより小さい、ステップを含む。
【００４４】
第４の態様の第１の可能な実装、第４の態様の第２の可能な実装、第４の態様の第３の可能な実装、第４の態様の第４の可能な実装、第４の態様の第５の可能な実装、第４の態様の第６の可能な実装、第４の態様の第７の可能な実装、第４の態様の第８の可能、第４の態様の第９の可能な実装、又は第４の態様の第１０の可能な実装を参照して、第１１の可能な実装では、前記高速モバイル通信環境に適するプリセットＲＲＭパラメータに従いＲＲＭポリシを調整する前記ステップの前に、前記方法は、
前記アクセスネットワーク装置から時間期間パラメータ指示情報を受信するステップであって、前記時間期間パラメータ指示情報は、Ｔ３１０タイマの時間期間パラメータを示すために使用され、前記時間期間パラメータは２秒より大きい、ステップ、を更に含み、
前記高速モバイル通信環境に適するプリセットＲＲＭパラメータに従いＲＲＭポリシを調整する前記ステップは、
前記ユーザ機器がトンネル通信環境において接続状態であるとき、前記Ｔ３１０タイマの時間期間パラメータを用いて物理レイヤ問題の検出を有効にするステップを含む。
【００４５】
第５の態様によると、通信システムであって、少なくとも１つのアクセスネットワーク装置及び少なくとも１つのユーザ機器を含み、
前記アクセスネットワーク装置は、要件指示情報を生成し、前記要件指示情報は、前記ユーザ機器が高速モバイル通信環境に適する無線リソース管理ＲＲＭ要件を満たす必要のあることを示すために使用され、前記要件指示情報をセルのカバレッジ内の前記ユーザ機器へ送信し、
前記ユーザ機器は、前記アクセスネットワーク装置により送信された前記要件指示情報を受信し、前記要件指示情報に従い、前記高速モバイル通信環境に適する前記ＲＲＭ要件が満たされる必要のあることを決定する。
【００４６】
本願の実施形態を実施することにより、アクセスネットワーク装置は、要件指示情報を生成し、要件指示情報をセルのカバレッジ内のＵＥへ送信する。要件指示情報を受信した後に、ＵＥが非常に高速で移動するので、ＵＥが目標セルを通過するがＲＲＭを良好に完了することに失敗するという従来技術の問題を解決するために、ＵＥは、要件指示情報に従い、高速モバイル通信環境に適するＲＲＭ要件が満たされる必要のあることを決定する。高速モバイル通信環境におけるＲＲＭ要件を満たし、及びネットワーク性能を保証し及び向上するために、周波数内セル再選択時間を短縮し、目標セル識別時間を短縮し、同期／同期外れ評価時間を短縮し、又は測定周期を短縮するよう、ＵＥは、高速モバイル通信環境に適するプリセットＲＲＭパラメータに従い、ＲＲＭポリシを調整できる。
【図面の簡単な説明】
【００４７】
本願の実施形態の又は従来技術の技術的ソリューションをより明確に説明するために、以下に実施形態又は従来技術の説明に必要な添付の図面を記載する。明らかなことに、以下の説明中の添付の図面は、本願のほんの一部の実施形態であり、これらの図面に従って当業者により創造的労力を有しないで他の図面も得られる。
【図１】高速モバイル通信環境における無線リソース管理のシナリオの概略図である。
【図２】本願の一実施形態による高速モバイル通信環境に適する通信適用シナリオのアーキテクチャ図である。
【図３】本願の一実施形態によるアクセスネットワーク装置の概略構造図である。
【図４】本願の一実施形態による異なる測定周期におけるハンドオーバ失敗率の概略図である。
【図５】本願の一実施形態によるユーザ機器の概略構造図である。
【図６】本願によるユーザ機器の別の実施形態の概略構造図である。
【図７】本願によるアクセスネットワーク装置の別の実施形態の概略構造図である。
【図８】本願によるユーザ機器の別の実施形態の概略構造図である。
【図９】本願の一実施形態による通信システムの概略構造図である。
【図１０】本願の一実施形態による通信方法の概略フローチャートである。
【図１１】本願による通信方法の別の実施形態の概略フローチャートである。
【図１２】本願による通信方法の別の実施形態の概略フローチャートである。
【発明を実施するための形態】
【００４８】
以下に、本願の実施形態の添付の図面を参照して、本願の実施形態における技術的解決策を明確且つ十分に説明する。明らかに、記載される実施形態は、本願の実施形態の一部であり、全てではない。本願の実施形態に基づき創造的労力を有しないで当業者により得られる全ての他の実施形態は、本願の保護範囲に包含される。
【００４９】
図２を参照すると、図２は、本願の一実施形態による高速モバイル通信環境に適する通信適用シナリオのアーキテクチャ図である。説明は、高速鉄道モバイル通信が高速モバイル通信環境として使用される一実施形態を用いて行われる。
【００５０】
ＵＥを持ち運ぶユーザは、ＨＳＴに乗り込み、目的地へ向けて出発する。途中、ユーザは、別のユーザと通信するために、ＵＥを用いて、図示される進化型ＮｏｄｅＢ（evolved  NodeB、ｅＮｏｄｅＢ）のような各アクセスネットワーク装置との関連付けを確立し保持して良い。ｅＮｏｄｅＢは、進化型ユニバーサル地上波無線アクセスネットワーク（evolved  universal  terrestrial  radio  access  network、Ｅ−ＵＴＲＡＮ）の中のＵＥと進化型パケットコア（evolved  packet  core、ＥＰＣ）との間のブリッジとして使用され、以下の機能を有する：
（１）無線ベアラ制御、無線アクセス制御、接続移動性制御、及びＵＥのためのアップリンク／ダウンリンク動的リソース割り当てを含む、無線リソース管理機能；
（２）ＩＰヘッダ圧縮、及びユーザデータストリーム暗号化；
（３）ページングメッセージ編成及び送信；
（４）ブロードキャストメッセージ編成及び送信；
（５）移動性又はスケジューリングのための測定及び測定報告構成。
【００５１】
本願の実施形態におけるアクセスネットワーク装置は、異なる通信システムにおける異なる装置に対応して良く、基地局制御部（base  station  controller、ＢＳＣ）、無線ネットワーク制御部（radio  network  controller、ＲＮＣ）、ｅＮｏｄｅＢ、又はＮｏｄｅＢを含むがこれらに限定されない。本願の実施形態におけるＵＥは、限定ではないが、携帯電話機、モバイルコンピュータ、タブレットコンピュータ、パーソナルデジタルアシスタント（personal  digital  assistant、ＰＤＡ）、メディアプレイヤ、スマートＴＶ、スマートウォッチ、スマート眼鏡、又はスマートバンドのような、通信機能を備えるユーザ機器を含み得る。
【００５２】
高速移動状態のＵＥは、依然として、測定、セル選択若しくは再選択、ハンドオーバ、及びＲＲＭポリシ及びＲＲＭパラメータに従う無線リンク監視のような、無線リソース管理を実行する必要がある。本願の実施形態で提供されるアクセスネットワーク装置の構造及び機能は、図３及び図４の実施形態を参照して以下に詳細に記載される。
【００５３】
図３は、本願の一実施形態によるアクセスネットワーク装置の概略構造図である。アクセスネットワーク装置３０は、処理モジュール３００及び送信モジュール３０２を有して良い。
【００５４】
処理モジュール３００は、要件指示情報を生成するよう構成される。
【００５５】
具体的に、本願の本実施形態における要件指示情報は、ＵＥが、高速モバイル通信環境に適する無線リソース管理ＲＲＭ要件を満たす必要のあることを示すために使用される。要件指示情報は、具体的に、ＵＥのダウンリンク・ブロードキャスト・データフレームのようなシステムメッセージの中で設定されて良く、無線リソース制御（Radio  Resource  Control、ＲＲＣ）専用シグナリングの中で設定されて良く、又は独立シグナリングであって良い。アクセスネットワーク装置及びＵＥが事前交渉を用いて合意に達しているならば、これは本願において限定されない。
【００５６】
本願の本実施形態における要件指示情報は、ビット「１」又はビット「０」のような１ビットの情報であって良く、ビット「０１」又はビット「１００」のような少なくとも２ビットの情報であって良く、又はＵＥの速度情報若しくは特定の識別子のような他の内容の情報であって良いことが理解できる。アクセスネットワーク装置３０及びＵＥが、事前交渉により、情報片が要件指示情報であるという合意に達しているならば、これは本願において限定されない。
【００５７】
送信モジュール３０２は、セルのカバレッジ内にいるＵＥへ要件指示情報を送信するよう構成される。したがって、ＵＥは、高速モバイル通信環境に適するＲＲＭ要件が満たされる必要のあることを知ることができる。
【００５８】
具体的に、送信モジュール３０２は、システムメッセージをセルのカバレッジ内にいるＵＥへ送信し、システムメッセージは要件指示情報を伝達し、又は、無線リソース制御ＲＲＣ専用シグナリングをセルのカバレッジ内にいるＵＥへ送信し、ＲＲＣ専用シグナリングは要件指示情報を伝達して良い。つまり、送信モジュール３０２は、ＵＥへダウンリンクでデータフレームをブロードキャストすることにより、ＵＥへ要件指示情報を送信して良い。つまり、要件指示情報は、ブロードキャストデータフレームの中で設定されて良い。代替で、接続状態のＵＥでは、送信モジュール３０２は、ＲＲＣ専用シグナリングを用いて、アクセスネットワーク装置のセルのカバレッジ内にいるＵＥへ要件指示情報を送信して良い。つまり、要件指示情報は、ＲＲＣ専用シグナリングの中で設定されて良い。代替で、送信モジュール３０２は、ネットワークインタフェースを用いて、ＵＥへ要件指示情報を独立に直接送信して良い。したがって、ＵＥは、高速モバイル通信環境に適するＲＲＭ要件が満たされる必要のあることを知る。
【００５９】
留意すべきことに、従来のセルラネットワークのＲＲＭ要件と比べて、本願の実施形態における高速モバイル通信環境に適するＲＲＭ要件は、高速列車又は別の高速車両のモバイル通信環境に特に適するＲＲＭ要件を新たに追加される。新たに追加されたＲＲＭ要件は、相応して、高速モバイル通信環境に適するＲＲＭ要件又はインデックスを含んで良く、ＵＥは、高速モバイル通信環境において新たに追加されたＲＲＭ要件に適合可能であることが要求される。従来のセルラネットワークのＲＲＭ要件と比べて、無線リンク障害が削減でき、ハンドオーバ障害が削減でき、スループットが増大でき、それによりネットワーク性能を保証する。要件指示情報を受信した後に、ＵＥは、高速モバイル通信環境に適するＲＲＭ要件が満たされる必要のあることを知り、高速モバイル通信環境に適するＲＲＭ要件を満たすために、ＵＥの性能に従い、周波数内セル再選択、目標セル識別、無線リンク監視、測定報告、等を拡張して良い。
【００６０】
本願の本実施形態を実施することにより、アクセスネットワーク装置は、要件指示情報を生成し、要件指示情報をセルのカバレッジ内にいるＵＥへ送信する。要件指示情報を受信した後に、ＵＥが非常に高速で移動するので、ＵＥが目標セルを通過するがＲＲＭを良好に完了することに失敗するという従来技術の問題を解決するために、ＵＥは、要件指示情報に従い、高速モバイル通信環境に適するＲＲＭ要件が満たされる必要のあることを決定する。高速モバイル通信環境におけるＲＲＭ要件を満たし、及びネットワーク性能を保証し及び向上するために、周波数内セル再選択時間を短縮し、目標セル識別時間を短縮し、同期／同期外れ評価時間を短縮し、又は測定周期を短縮するよう、ＵＥは、高速モバイル通信環境に適するプリセットＲＲＭパラメータに従い、ＲＲＭポリシを調整できる。
【００６１】
より具体的に、要件指示情報を受信した後に、高速モバイル通信環境に適するＲＲＭ要件を満たすために、ＵＥは、高速モバイル通信環境に適するプリセットＲＲＭパラメータに従い、ＲＲＭポリシを直接調整して良い。
【００６２】
本願の本実施形態における高速モバイル通信環境に適するプリセットＲＲＭパラメータは、限定ではないが、アイドル（ＩＤＬＥ）状態におけるＤＲＸサイクルパラメータ、ＩＤＬＥ状態におけるセル再選択処理の評価時間パラメータ、接続状態における目標セル識別時間パラメータ、接続状態における同期／同期外れ評価周期パラメータ、接続状態における測定パラメータ、接続状態におけるＴ３１０タイマの時間期間パラメータ、等を含む。例えば、ＵＥは、ＤＲＸサイクルを短縮し、それにより周波数内セル再選択時間を短縮するために、ＩＤＬＥ状態における且つ高速モバイル通信環境に適するＤＲＸサイクルパラメータを使用し、セル再選択処理の評価時間を短縮し、それにより周波数内セル再選択時間を短縮するために、ＩＤＬＥ状態におけるセル再選択処理の且つ高速モバイル通信環境に適する評価時間パラメータを使用し、セル再選択処理の識別時間を短縮し、それにより周波数内セル再選択を短縮するために、ＩＤＬＥ状態におけるセル再選択処理の且つ高速モバイル通信環境に適する識別時間パラメータを使用し、目標セル識別時間を短縮するために、接続状態における且つ高速モバイル通信環境に適する目標セル識別時間パラメータを使用し、接続状態における同期／同期外れ評価時間を短縮するために、接続状態における且つ高速モバイル通信環境に適する同期／同期外れ評価周期パラメータを使用し、接続状態における測定周期を短縮するために、接続状態における且つ高速モバイル通信環境に適する測定パラメータを使用して良い、等。
【００６３】
さらに、ＵＥが要件指示情報を受信した後に、高速モバイル通信環境に適するプリセットＲＲＭパラメータに従いＲＲＭポリシを直接調整することに加えて、ＵＥは、さらに、ＵＥの現在性能が高速モバイル通信環境に適するＲＲＭ要件を満たすことができるか否かを決定するために、先ず要件指示情報に従い決定を実行して良く、ＵＥは、高速モバイル通信環境に適するＲＲＭ要件を満たすために、ＵＥの現在性能が高速モバイル通信環境に適するＲＲＭ要件を満たすことができない場合にのみ、高速モバイル通信環境に適するプリセットＲＲＭパラメータに従い、ＲＲＭポリシを調整する。
【００６４】
例えば、処理モジュール３００により生成される要件指示情報は、速度レベル情報を有して良い。速度レベル情報は、高速モバイル通信環境の速度レベルを示すために使用され、高速モバイル通信環境の速度レベルは、ＵＥが高速モバイル通信環境の中にいるか否かをＵＥに決定させるために使用される。つまり、ＵＥは、速度レベル情報に従い、ＵＥが高速モバイル通信環境内に置かれているか否かを決定して良く、それにより、高速モバイル通信環境に適するＲＲＭ要件が現在満たされ得るか否かを決定し、高速モバイル通信環境に適するＲＲＭ要件が現在満たされ得ないと決定されると、高速モバイル通信環境に適するＲＲＭ要件を満たすために、高速モバイル通信環境に適するプリセットＲＲＭパラメータに従い、ＲＲＭポリシを調整する。
【００６５】
速度レベル情報は、具体的に、速度範囲情報であって良い。つまり、アクセスネットワーク装置及びＵＥは、事前交渉により、例えば以下の複数の速度範囲を決定する：
低速（normal）、ＵＥ速度：速度＜１００ｋｍ／ｈを表す、
中速（medium）、ＵＥ速度：１００ｋｍ／ｈ＜速度＜２００ｋｍ／ｈを表す、
高速（high）、ＵＥ速度：２００ｋｍ／ｈ＜速度＜３００ｋｍ／ｈを表す、
超高速（very  high）、ＵＥ速度：速度＞３００ｋｍ／ｈを表す。
【００６６】
各速度範囲の速度値は前述の例に限定されず、実際の必要に応じて別の速度値に設定されて良いことが理解できる。
【００６７】
送信モジュール３０２が、アクセスネットワーク装置のセルのカバレッジ内にいるＵＥへダウンリンクでデータフレームをブロードキャストすることにより、ＵＥへ調整指示情報を送信するとき、処理モジュール３００は、ＳｙｓｔｅｍＩｎｆｏｒｍａｔｉｏｎＢｌｏｃｋＴｙｐｅ１に新たな情報要素（information  element、ＩＥ）を追加して良く、例えば：
【数１】
0006653376.tif 000002
【００６８】
上記の太字部分が追加された新たなＩＥである。
【００６９】
代替で、新たなＩＥは、ＭａｓｔｅｒＩｎｆｏｒｍａｔｉｏｎＢｌｏｃｋに追加されて良く、例えば：
【数２】
0006653376.tif 000003
【００７０】
同様に、上記の太字部分が追加された新たなＩＥである。
【００７１】
送信モジュール３０２が、ＲＲＣ専用シグナリングを用いて、調整指示情報を、アクセスネットワーク装置のセルのカバレッジ内にいるＵＥへ送信するとき、処理モジュール３００は、新たなＩＥをＲＲＣＣｏｎｎｅｃｔｉｏｎＲｅｃｏｎｆｉｇｕｒａｔｉｏｎに追加して良く、例えば：
【数３】
0006653376.tif 000004
【００７２】
同様に、上記の太字部分が追加された新たなＩＥである。
【００７３】
アクセスネットワーク装置３０は、ＵＥについての位置決め及び分析、又は別の方法により、速度範囲を決定して良いことに留意すべきである。前述の実施形態では、ＳｙｓｔｅｍＩｎｆｏｒｍａｔｉｏｎＢｌｏｃｋＴｙｐｅ１又はＭａｓｔｅｒＩｎｆｏｒｍａｔｉｏｎＢｌｏｃｋに加えて、速度レベル情報は、別のシステムメッセージ内にも置かれて良い。同様に、ＲＲＣＣｏｎｎｅｃｔｉｏｎＲｅｃｏｎｆｉｇｕｒａｔｉｏｎに加えて、速度レベル情報は、ＲＲＣシグナリングの別のメッセージ内にも置かれて良い。これは、本願において限定されない。前述のＩＥの可変名称及び可変種類はいずれも限定されず、前述の記載は単に一例を挙げている。
【００７４】
更に留意すべきことに、ＵＥが速度レベル情報を受信した後に、ＵＥは、速度レベル情報に従い、ＵＥが高速モバイル通信環境に置かれているか否かを決定し、具体的に、速度レベル情報及びＵＥの性能に従い、高速モバイル通信環境に適するＲＲＭ要件が満たされ得るか否かを決定して良い。例えば、ＵＥが比較的高性能を有し、並びに、現在移動速度が比較的高いが、ＵＥが依然として現在移動速度環境においてＲＲＭ要件をサポートできる場合、ＵＥは、ＵＥが高速モバイル通信環境内に置かれていない、及び高速モバイル通信環境に適するＲＲＭ要件は現在満たされ得ると決定する。ＵＥが現在移動速度環境においてＲＲＭ要件をサポートできない場合、ＵＥは、ＵＥが高速モバイル通信環境に置かれており、及び高速モバイル通信環境に適するＲＲＭ要件が現在満たせない、並びに、高速モバイル通信環境に適するＲＲＭ要件を満たすために、ＵＥが高速モバイル通信環境に適するプリセットＲＲＭパラメータに従いＲＲＭポリシを調整する必要のあることを決定する。
【００７５】
別の例では、処理モジュール３００により生成される要件指示情報は、高速専用セル識別子の範囲情報を更に含んで良く、高速専用セル識別子の範囲情報は、高速モバイル通信環境の中に位置するセルを示すために使用される。したがって、ＵＥは、高速専用セル識別子の範囲情報に従い、現在アクセスされているセルのセル識別子が高速専用セル識別子の範囲内に含まれるか否かを決定する。現在アクセスされているセルのセル識別子が高速専用セル識別子の範囲内に含まれると決定されると、ＵＥは、高速モバイル通信環境内に位置するセルの中に存在し、ＵＥは、高速モバイル通信環境に適するＲＲＭ要件を満たすために、高速モバイル通信環境に適するプリセットＲＲＭパラメータに従いＲＲＭポリシを調整する必要がある。
【００７６】
ＵＥがアクセスネットワーク装置３０のセルカバレッジに入るとき、例えば、アイドル状態のＵＥがセル選択若しくはセル再選択によりアクセスネットワーク装置３０のセルカバレッジに留まるとき、又は接続状態のＵＥがハンドオーバ若しくはＲＲＣ再構成によりアクセスネットワーク装置３０のセルカバレッジにアクセスするとき、送信モジュール３０２は、高速専用セルに属するセルのＵＥに知らせるために、アクセスネットワーク装置のセルのカバレッジ内にいるＵＥへダウンリンクでデータフレームをブロードキャストすることにより、ＵＥへ要件指示情報を送信して良い。具体的に、新たなＩＥは、ＳｙｓｔｅｍＩｎｆｏｒｍａｔｉｏｎＢｌｏｃｋＴｙｐｅ４に追加されて良い：
【数４】
0006653376.tif 000005
【００７７】
上記の太字部分が追加された新たなＩＥである。
【００７８】
前述の実施形態では、ＳｙｓｔｅｍＩｎｆｏｒｍａｔｉｏｎＢｌｏｃｋＴｙｐｅ４に加えて、高速専用セル識別子の範囲情報も別のシステムメッセージ内に配置されて良いことが理解できる。これは、本願において限定されない。前述のＩＥの可変名称及び可変種類はいずれも限定されず、前述の記載は単に一例を挙げている。
【００７９】
更に留意すべきことに、ＵＥが高速専用セル識別子の範囲情報を受信した後に、ＵＥは、現在アクセスされているセルのセル識別子が高速専用セル識別子の範囲（ＰｈｙｓＣｅｌｌＩｄＲａｎｇｅ）内に含まれるか否かを決定する。含まれない場合、ＵＥが高速モバイル通信環境内に置かれているセルの中にいないことを示し、ＵＥは、高速モバイル通信環境に適するＲＲＭ要件が満たされ必要のないことを知る。その他の場合、ＵＥが高速モバイル通信環境内に置かれているセルの中にいることを示し、ＵＥは、高速モバイル通信環境に適するＲＲＭ要件を満たすために、高速モバイル通信環境に適するプリセットＲＲＭパラメータに従いＲＲＭポリシを調整する必要がある。
【００８０】
任意で、本願の本実施形態におけるアクセスネットワーク装置３０は、ＵＥが高速モバイル通信環境に適するＲＲＭ要件をサポートする能力を有することを示すために、セルのカバレッジ内にいるＵＥにより報告される高速調整能力情報を受信するよう構成される受信モジュールを更に含んでよい。送信モジュール３０２は、具体的に、受信した高速調整能力情報に従い、高速調整能力を有するＵＥへ要件指示情報を送信するよう送信モジュール３０２を制御するよう構成される。つまり、ＵＥが高速モバイル通信環境に適するＲＲＭ要件をサポートする能力を有しないことを、アクセスネットワーク装置３０が知った場合、アクセスネットワーク装置３０は、ＵＥへ要件指示情報を送信しない。本願の本実施形態におけるアクセスネットワーク装置３０は、高速モバイル通信環境に適するＲＲＭ要件をサポートする能力を有するＵＥにだけ、要件指示情報を送信して良い。
【００８１】
以下は、高速モバイル通信環境に適するＲＲＭ要件を満たすために、ＵＥが、高速モバイル通信環境に適するプリセットＲＲＭパラメータに従い、ＲＲＭポリシをどのように調整するかを、一例を用いて更に詳細に説明する。
【００８２】
具体的に、処理モジュール３００は、不連続受信サイクル指示情報をＵＥへ送信するよう送信モジュール３０２を制御するよう更に構成され、不連続受信サイクル指示情報は不連続受信サイクルを示すために使用され、不連続受信サイクルは０．３２秒未満である。つまり、アクセスネットワーク装置３０は、ＵＥについて、高速モバイル通信環境に適する少なくとも１つの不連続受信サイクルを構成して良く、高速モバイル通信環境に適する不連続受信サイクルは、０．３２秒未満である。
【００８３】
具体的に、表１は、アイドル状態のＵＥの周波数内セル再選択の且つ本願の本実施形態で提供される概略パラメータテーブルを示す。
［表１］
【表１】
0006653376.tif 000006
【００８４】
２つの元の通信パーティが交渉により合意に達する０．３２秒、０．６４秒、１．２８秒、及び２．５６秒のＩＤＬＥ状態ＤＲＸサイクル（DRX  cycle  length）に基づき、高速モバイル通信環境に適する０．１６秒のＩＤＬＥ状態ＤＲＸサイクル（つまり、表１の太字の行）が新たに構成される。次に、許容可能な最大アイドル状態評価時間［ｓ］（不連続受信サイクルの数）、つまりＴｅｖａｌｕａｔｅ，Ｅ−ＵＴＲＡＮ＿ｉｎｔｒａ［ｓ］（ＤＲＸサイクルの数）は、２．５６秒の１６ＤＲＸサイクルであって良く、許容可能な最大アイドル状態セル識別時間［ｓ］（不連続受信サイクルの数）、つまりＴｄｅｔｅｃｔ，ＥＵＴＲＡＮ＿Ｉｎｔｒａ［ｓ］（ＤＲＸサイクルの数）は、５．７６秒の３６ＤＲＸサイクル（２０ＤＲＸサイクルの識別時間、及び１６ＤＲＸサイクルの評価時間を含む）であって良い。したがって、ＵＥが３５０ｋｍ／ｈの速度で移動する場合、識別中の許容可能な最大移動距離（検出距離）は、５６０メートルであって良い。非高速モバイル通信環境における０．３２秒、０．６４秒、１．２８秒、及び２．５６秒のＤＲＸサイクルでは、対応する許容可能な移動距離は、それぞれ、１１２０メートル、１７４２メートル、３１１１メートル、及び５７２４メートルである。つまり、識別中の許容可能な最大移動距離は、大幅に短縮され得る。
【００８５】
更に具体的に、アイドル状態のＵＥのＤＲＸ構成では、新たなＤＲＸサイクル、つまり以下に示される太字部分が、ブロードキャストメッセージの中のＲａｄｉｏＲｅｓｏｕｒｃｅＣｏｎｆｉｇＣｏｍｍｏｎシグナリングに、つまりＲａｄｉｏＲｅｓｏｕｒｃｅＣｏｎｆｉｇＣｏｍｍｏｎに追加されて良い。ここで、ｒｆ１６は、１周期が１６個の無線フレーム、つまり１６＊０．０１ｓ＝０．１６ｓであることを示す。
【数５】
0006653376.tif 000007
【数６】
0006653376.tif 000008
【数７】
0006653376.tif 000009
【００８６】
留意すべきことに、不連続受信サイクル指示情報は、ブロードキャストデータフレームの中で設定されて良い。例えば、アクセスネットワーク装置３０及び各ＵＥは、交渉により、周波数内セル再選択を実行するために、高速モバイル通信環境内に置かれたＵＥにより使用されるＤＲＸサイクルを示すよう、１つのビット情報片がフィールド間で設定されることの合意に達する。例えば、ビット情報が３ビットであり、ビット０００は０．３２秒のＤＲＸサイクルが周波数内セル再選択を実行するために使用されることを示し、ビット００１は０．６４秒のＤＲＸサイクルが周波数内セル再選択を実行するために使用されることを示し、ビット０１０は１．２８秒のＤＲＸサイクルが周波数内セル再選択を実行するために使用されることを示し、ビット０１１は２．５６秒のＤＲＸサイクルが周波数内セル再選択を実行するために使用されることを示し、及びビット１００は０．１６秒のＤＲＸサイクルが周波数内セル再選択を実行するために使用されることを示す。つまり、アクセスネットワーク装置３０の送信モジュール３０２は、不連続受信サイクル指示情報をＵＥへ送信するために、アイドル状態のＵＥへダウンリンクでデータフレームをブロードキャストして良く、ブロードキャストデータフレームは、不連続受信サイクル指示情報（つまり、ビット１００）と共に提供される。高速モバイル通信環境内に置かれたアイドル状態のＵＥが、不連続受信サイクル指示情報を受信しパースしてビット１００を得た後に、及び高速モバイル通信環境に適するプリセットＲＲＭパラメータに従いＲＲＭポリシが調整される必要のあるとき、ＵＥは、高速モバイル通信環境に適する構成された不連続受信サイクルに従い、周波数内セル再選択を実行し、つまり、表１中の高速モバイル通信環境に適する０．１６秒のＩＤＬＥ状態ＤＲＸサイクルを用いて、周波数内セル再選択を実行して良く、それにより、セル再選択処理を加速し、及びセル再選択中の移動距離を短縮する。
【００８７】
更に留意すべきことに、表１は本願の単なる一実施形態であり、本願は表１の例に限定されず、高速モバイル通信環境に適する別のＤＲＸサイクル、例えば０．２秒又は０．１秒のＤＲＸサイクルのような、０．３２秒未満のＤＲＸサイクルも設定されて良い。調整指示情報がＵＥへ送信されるとき、高速モバイル通信環境に適する且つ周波数内セル再選択を実行するために使用されるＤＲＸサイクルが示されるならば、高速モバイル通信環境に適する複数のＤＲＸサイクルが同時に設定されて良い。
【００８８】
任意的に、ＵＥがアイドル状態のＵＥであるとき、高速モバイル通信環境に適するプリセットＲＲＭパラメータに従い、ＲＲＭポリシを調整するステップは、セル再選択処理のプリセット評価時間パラメータに従い、周波数内セル再選択を実行するステップであって、セル再選択処理の評価時間パラメータの中で、２．５６秒の不連続受信サイクルに対応する評価時間パラメータは７．６８秒未満であり、１．２８秒の不連続受信サイクルに対応する評価時間パラメータは６．４秒未満であり、０．６４秒の不連続受信サイクルに対応する評価時間パラメータは５．１２秒未満であり、又は、０．３２秒の不連続受信サイクルに対応する評価時間パラメータは５．１２秒未満である、ステップ、を更に含んで良い。
【００８９】
具体的に、セル再選択処理の且つ高速モバイル通信環境に適する評価時間パラメータは、ＵＥの製造過程でベンダーにより予め書き込まれて良く、或いは、セル再選択処理の且つ高速モバイル通信環境に適する評価時間パラメータは、製造されるＵＥの評価時間パラメータをリフレッシュ又は更新することにより予め設定され、記憶ユニットに格納される。表２は、アイドル状態のＵＥの周波数内セル再選択の且つ本願の本実施形態で提供される概略パラメータテーブルを示す。
［表２］
【表２】
0006653376.tif 000010
【００９０】
２つの元の通信パーティが交渉により合意に達した０．３２秒、０．６４秒、１．２８秒、及び２．５６秒のＤＲＸサイクル長が、それぞれアイドル状態評価時間［ｓ］（不連続受信サイクルの数）、つまり５．１２秒の１６ＤＲＸサイクル、５．１２秒の８ＤＲＸサイクル、６．４秒の５ＤＲＸサイクル、及び７．６８秒の３ＤＲＸサイクルであるＴｅｖａｌｕａｔｅ，Ｅ−ＵＴＲＡＮ＿ｉｎｔｒａ［ｓ］（ＤＲＸサイクルの数）に対応することに基づき、高速モバイル通信環境に適するＴｅｖａｌｕａｔｅ，Ｅ−ＵＴＲＡＮ＿ｉｎｔｒａ［ｓ］（ＤＲＸサイクルの数）（つまり、表２の太字の列）が新たに設定され、それぞれ０．９６秒の３ＤＲＸサイクル、１．９２秒の３ＤＲＸサイクル、３．８４秒の３ＤＲＸサイクル、及び７．６８秒の３ＤＲＸサイクルである。セル再選択処理の且つ本願の本実施形態における高速モバイル通信環境に適する評価時間パラメータは、表２の高速モバイル通信環境に適するＴｅｖａｌｕａｔｅ，Ｅ−ＵＴＲＡＮ＿ｉｎｔｒａ［ｓ］（ＤＲＸサイクルの数）である。つまり、２．５６秒のＤＲＸサイクル長を除き、高速モバイル通信環境に適し且つ２．５６秒未満の各々の残りのＤＲＸサイクル長に対応するＴｅｖａｌｕａｔｅ，Ｅ−ＵＴＲＡＮ＿ｉｎｔｒａ［ｓ］（ＤＲＸサイクルの数）は、非高速モバイル通信環境におけるＴｅｖａｌｕａｔｅ，Ｅ−ＵＴＲＡＮ＿ｉｎｔｒａ［ｓ］（ＤＲＸサイクルの数）より小さい。したがって、ＵＥが３５０ｋｍ／ｈの速度で移動する場合、識別中の許容可能な最大移動距離（検出距離）は、それぞれ７１６メートル、１４３１メートル、及び２８６２メートルであって良い。非高速モバイル通信環境における１１２０メートル、１７４２メートル、及び３１１１メートルと比べて、識別中の許容可能な最大移動距離は、大幅に削減され得る。
【００９１】
留意すべきことに、本願の本実施形態における要件指示情報は、ブロードキャストデータフレームの中で設定されて良い。例えば、アクセスネットワーク装置３０及び各ＵＥは、交渉により、セル再選択処理の且つ高速モバイル通信環境に適するプリセット評価時間パラメータに従い、周波数内セル再選択を実行するようＵＥに指示するために、１ビットがフィールド間に設定されることの合意に達する。例えば、要件指示情報、つまり以下に示す太字部分は、ＳｙｓｔｅｍＩｎｆｏｒｍａｔｉｏｎＢｌｏｃｋＴｙｐｅ１の中で設定される。
【数８】
0006653376.tif 000011
【００９２】
代替で、要件指示情報、つまり以下の太字部分は、ＭａｓｔｅｒＩｎｆｏｒｍａｔｉｏｎＢｌｏｃｋの中で設定される。
【数９】
0006653376.tif 000012
【００９３】
前述の実施形態では、ＳｙｓｔｅｍＩｎｆｏｒｍａｔｉｏｎＢｌｏｃｋＴｙｐｅ１及びＭａｓｔｅｒＩｎｆｏｒｍａｔｉｏｎＢｌｏｃｋに加えて、要件指示情報が別のシステムメッセージ内にも設定されて良いことが理解できる。これは、本願において限定されない。前述のＩＥの可変名称及び可変種類は限定されない。ここでブール変数高速ＲＲＭ指示は、端末が高速モバイル通信環境に適するＲＲＭ要件を満たすべきか否かを示すために使用され、単なる一例である。これは、本願において限定されない。例えば、ブール変数がビット１（つまり、要件指示情報）である場合、これは、周波数内セル再選択が、セル再選択処理の且つ高速モバイル通信環境に適するプリセット評価時間パラメータに従い実行される必要のあることを示す。ブール変数がビット０である場合、これは、セル再選択処理の且つ高速モバイル通信環境に適するプリセット評価時間パラメータに従い周波数内セル再選択が実行される必要のないことを示す。つまり、アクセスネットワーク装置３０の送信モジュール３０２は、要件指示情報をＵＥへ送信するために、アイドル状態のＵＥへダウンリンクでデータフレームをブロードキャストして良く、ブロードキャストデータフレームは、要件指示情報と共に提供される。要件指示情報を受信した後に、高速モバイル通信環境に置かれたアイドル状態のＵＥは、セル再選択処理の且つ高速モバイル通信環境に適するプリセット評価時間パラメータに従い、周波数内セル再選択が実行される必要のあることを知る。例えば、セル再選択処理についての評価は、表２の０．９６秒の３ＤＲＸサイクルの最大時間を用いて達成され、それにより、セル再選択処理を加速し、及びセル再選択中の移動距離を短縮する。
【００９４】
更に留意すべきことに、表２は、本願の単なる一実施形態であり、本願は表２の例に限定されない。つまり、２．５６秒未満の不連続受信サイクルに対応する評価時間パラメータは、必ずしも３ＤＲＸサイクルにまで全て短縮される必要がなく、別の値に設定されても良い。例えば、０．３２秒のＤＲＸサイクルに対応する評価時間パラメータは、０．６４秒の２ＤＲＸサイクルであり、１．２８秒のＤＲＸサイクルに対応する評価時間パラメータは５．１２秒の４ＤＲＸサイクルである。評価時間パラメータが非高速モバイル通信環境におけるセル再選択処理の評価時間パラメータより小さいならば、セル再選択処理は加速でき、セル再選択中の移動距離は短縮できる。本願の本実施形態における２．５６秒の不連続受信サイクルに対応する評価時間パラメータは、同様に、７．６８秒の３ＤＲＸサイクルより小さく設定されて良いことが理解できる。これは、本願において限定されない。
【００９５】
任意的に、ＵＥがアイドル状態のＵＥであるとき、高速モバイル通信環境に適するプリセットＲＲＭパラメータに従い、ＲＲＭポリシを調整するステップは、周波数内セル再選択時間を短縮するために、セル再選択処理のプリセット識別時間パラメータに従い、周波数内セル再選択を実行するステップであって、セル再選択処理の識別時間パラメータは、２０不連続受信サイクルより少ない、ステップ、を更に含んで良い。
【００９６】
具体的に、セル再選択処理の且つ高速モバイル通信環境に適する識別時間パラメータは、ＵＥの製造過程でベンダーにより予め書き込まれて良く、或いは、セル再選択処理の且つ高速モバイル通信環境に適する識別時間パラメータは、製造されるＵＥの識別時間パラメータをリフレッシュ又は更新することにより予め設定され、記憶ユニットに格納される。表３は、アイドル状態のＵＥの周波数内セル再選択の且つ本願の本実施形態で提供される概略パラメータテーブルを示す。
［表３］
【表３】
0006653376.tif 000013
【００９７】
２つの元の通信パーティが交渉により合意に達した０．３２秒、０．６４秒、１．２８秒、及び２．５６秒のＤＲＸサイクル長が、それぞれアイドル状態セル識別時間［ｓ］（不連続受信サイクルの数）、つまり１１．５２秒の３６ＤＲＸサイクル、１７．９２秒の２８ＤＲＸサイクル、３２秒の２５ＤＲＸサイクル、及び５８．８８秒の２３ＤＲＸサイクルであるＴｄｅｔｅｃｔ，ＥＵＴＲＡＮ＿Ｉｎｔｒａ［ｓ］（ＤＲＸサイクルの数）に対応することに基づき、高速モバイル通信環境に適するＴｄｅｔｅｃｔ，ＥＵＴＲＡＮ＿Ｉｎｔｒａ［ｓ］（ＤＲＸサイクルの数）（つまり、表３の太字の列）が新たに設定され、それぞれ８．３２秒の２６ＤＲＸサイクル、１１．５２秒の１８ＤＲＸサイクル、１９．２秒の１５ＤＲＸサイクル、及び３３．２８秒の１３ＤＲＸサイクルである。
【００９８】
セル再選択処理の且つ本願の本実施形態における高速モバイル通信環境に適する識別時間パラメータ、及び表３のアイドル状態評価時間［ｓ］（ＤＲＸサイクルの数）は、表３の高速モバイル通信環境に適するＴｄｅｔｅｃｔ，ＥＵＴＲＡＮ＿Ｉｎｔｒａ［ｓ］（ＤＲＸサイクルの数）を得るために加算される。表３から、セル再選択処理の且つ本願の本実施形態における高速モバイル通信環境に適する識別時間パラメータは、１０ＤＲＸサイクルの識別時間であり、識別時間パラメータは非高速モバイル通信環境において２０ＤＲＸサイクルであることが分かる。例えば、セル再選択処理の、高速モバイル通信環境に適する、且つ０．３２秒のＤＲＸサイクルに対応する識別時間パラメータは１０ＤＲＸサイクルであり、アイドル状態評価時間［ｓ］は１６ＤＲＸサイクルであり、したがって、２６ＤＲＸサイクルのアイドル状態セル識別時間が全体として得られる。高速モバイル通信環境におけるセル再選択処理の、且つ０．３２秒のＤＲＸサイクルに対応する識別時間パラメータは２０ＤＲＸサイクルであり、アイドル状態評価時間［ｓ］は１６ＤＲＸサイクルであり、したがって、３６ＤＲＸサイクルのアイドル状態セル識別時間が全体として得られる。したがって、ＵＥが３５０ｋｍ／ｈの速度で移動する場合、識別中の許容可能な最大移動距離（検出距離）は、それぞれ８０９メートル、１１２０メートル、１８６７メートル、及び３２３６メートルであって良い。非高速モバイル通信環境における１１２０メートル、１７４２メートル、３１１１メートル、及び５７２４メートルと比べて、識別中の許容可能な最大移動距離は、大幅に削減され得る。
【００９９】
留意すべきことに、本願の本実施形態における要件指示情報は、ブロードキャストデータフレームの中で設定されて良い。例えば、アクセスネットワーク装置３０及び各ＵＥは、交渉により、セル再選択処理の且つ高速モバイル通信環境に適するプリセット識別時間パラメータに従い、周波数内セル再選択を実行するようＵＥに指示するために、１ビットがフィールド間に設定されることの合意に達する。例えば、ビット１（つまり、要件指示情報）は、周波数内セル再選択が、セル再選択処理の且つ高速モバイル通信環境に適するプリセット識別時間パラメータに従い実行される必要のあることを示し、ビット０は、セル再選択処理の且つ高速モバイル通信環境に適するプリセット識別時間パラメータに従い周波数内セル再選択が実行される必要のないことを示す。ブロードキャストデータフレームの中に要件指示情報をどのように設定するかに関する詳細については、表２の実施形態において記載される実装を参照のこと。詳細事項は、ここで再び記載されない。
【０１００】
アクセスネットワーク装置３０の送信モジュール３０２は、要件指示情報をＵＥへ送信するために、アイドル状態のＵＥへダウンリンクでデータフレームをブロードキャストして良く、ブロードキャストデータフレームは、要件指示情報と共に提供される。要件指示情報を受信した後に、アイドル状態のＵＥは、セル再選択処理の且つ高速モバイル通信環境に適するプリセット識別時間パラメータに従い、周波数内セル再選択が実行される必要のあることを知る。例えば、セル再選択処理に対する評価は、表３の８．３２秒の２６ＤＲＸサイクルの最大時間を用いて達成される。したがって、８．３２秒以内に識別を完了するために、識別時間は、識別アルゴリズムを向上する、測定周波数を増大する、等により短縮される。それにより、セル再選択処理を加速し、セル再選択中の移動距離を短縮する。
【０１０１】
更に留意すべきことに、表３は、本願の単なる一実施形態であり、本願は表３の例に限定されない。つまり、１０ＤＲＸサイクルに加えて、セル再選択処理の且つ高速モバイル通信環境に適する識別時間パラメータは、８ＤＲＸサイクル、１１ＤＲＸサイクル、１５ＤＲＸサイクル、１７ＤＲＸサイクル、等であっても良い。識別時間パラメータが２０ＤＲＸサイクル未満である場合、セル再選択処理は加速でき、セル再選択中の移動距離は短縮できる。
【０１０２】
任意的に、ＵＥが接続状態のＵＥであるとき、高速モバイル通信環境に適するプリセットＲＲＭパラメータに従い、ＲＲＭポリシを調整するステップは、プリセット目標セル識別時間パラメータに従い、目標セル識別を実行するステップであって、目標セル識別時間パラメータの中で、０．０４秒の不連続受信サイクルに対応する目標セル識別時間パラメータは０．８秒未満であり、０．０４秒より大きく且つ０．０８秒を超えない不連続受信サイクルに対応する目標セル識別時間パラメータは４０不連続受信サイクルより少なく、０．１２８秒の不連続受信サイクルに対応する目標セル識別時間パラメータは２５不連続受信サイクルより少なく、又は、０．１２８秒より大きく且つ２．５６秒を超えない不連続受信サイクルに対応する目標セル識別時間パラメータは２０不連続受信サイクルより少ない、ステップ、を更に含んで良い。
【０１０３】
具体的に、高速モバイル通信環境に適する目標セル識別時間パラメータは、ＵＥの製造過程でベンダーにより予め書き込まれて良く、或いは、高速モバイル通信環境に適する目標セル識別時間パラメータは、製造されるＵＥの識別時間パラメータをリフレッシュ又は更新することにより予め設定され、記憶ユニットに格納される。表４は、接続状態のＵＥの周波数内セル探索要件の且つ本願の本実施形態で提供される概略パラメータテーブルを示す。
［表４］
【表４】
0006653376.tif 000014
【０１０４】
２つの元の通信パーティが交渉により合意に達した０．０４秒以下のＤＲＸサイクル、０．０４秒より大きく且つ０．０８秒以下のＤＲＸサイクル、０．１２８秒のＤＲＸサイクル、及び０．１２８秒より大きく且つ２．５６秒以下のＤＲＸサイクルが、それぞれ目標セル識別時間パラメータ［ｓ］（不連続受信サイクル）、つまり０．８秒、４０ＤＲＸサイクル、３．２秒の２５ＤＲＸサイクル、及び２０ＤＲＸサイクルであるＴｉｄｅｎｔｉｆｙ＿ｉｎｔｒａ（ｓ）（ＤＲＸサイクル）に対応することに基づき、高速モバイル通信環境に適する目標セル識別時間パラメータ（つまり、表４の太字の列）が新たに設定され、それぞれ、０．８秒、２０ＤＲＸサイクル、２．５６秒の２０ＤＲＸサイクル、及び２０ＤＲＸサイクルである。つまり、０．０４秒より大きく且つ０．１２８秒を超えない不連続受信サイクルに対応する目標セル識別時間パラメータは、非高速モバイル通信環境における目標セル識別時間パラメータより小さい。したがって、ＵＥが３５０ｋｍ／ｈの速度で移動する場合、目標セル識別は、高速モバイル通信環境に適する指定目標セル識別時間パラメータに従い実行され、目標セル識別時間は大幅に短縮され得る。
【０１０５】
留意すべきことに、要件指示情報は、ブロードキャストデータフレームの中で設定されて良い。例えば、アクセスネットワーク装置３０及び各ＵＥは、交渉により、高速モバイル通信環境に適するプリセット目標セル識別時間パラメータに従い、目標セル識別を実行するか否かをＵＥに指示するために、１ビットがフィールド間に設定されることの合意に達する。ブロードキャストデータフレームの中に要件指示情報をどのように設定するかに関する詳細については、表２の実施形態において記載される実装を参照のこと。詳細事項は、ここで再び記載されない。任意的に、本願の本実施形態における要件指示情報は、ＲＲＣ専用シグナリングを用いて接続状態のＵＥへ送信されて良い。つまり、ＲＲＣ専用シグナリングは、高速モバイル通信環境に適するプリセット目標セル識別時間パラメータに従い目標セル識別を実行するか否かをＵＥに指示するために、要件指示情報としてのビットを伝達して良い。具体的に、要件指示情報、つまり以下の太字部分は、ＲＲＣＣｏｎｎｅｃｔｉｏｎＲｅｃｏｎｆｉｇｕｒａｔｉｏｎの中で設定されて良い。
【数１０】
0006653376.tif 000015
【０１０６】
前述の実施形態において、ＲＲＣ専用シグナリングＲＲＣＣｏｎｎｅｃｔｉｏｎＲｅｃｏｎｆｉｇｕｒａｔｉｏｎに加えて、要件指示情報は別のシステムメッセージの中でも設定されて良いことが理解できる。これは、本願において限定されない。前述のＩＥの可変名称及び可変種類は限定されない。ここでブール変数高速ＲＲＭ指示は、端末が高速モバイル通信環境に適するＲＲＭ要件を満たすべきか否かを示すために使用され、単なる一例である。これは、本願において限定されない。例えば、ブール変数がビット１（つまり、要件指示情報）である場合、これは、目標セル識別が、高速モバイル通信環境に適するプリセット目標セル識別時間パラメータに従い実行される必要のあることを示す。ブール変数がビット０である場合、これは、高速モバイル通信環境に適するプリセット目標セル識別時間パラメータに従い目標セル識別が実行される必要のないことを示す。
【０１０７】
つまり、アクセスネットワーク装置３０の送信モジュール３０２は、要件指示情報をＵＥへ送信するために、接続状態のＵＥへダウンリンクでデータフレームをブロードキャストして良く、ブロードキャストデータフレームは要件指示情報と共に提供され、或いは、接続状態のＵＥへ要件指示情報を伝達するＲＲＣ専用シグナリングを送信して良い。要件指示情報を受信した後に、高速モバイル通信環境に置かれた接続状態のＵＥは、高速モバイル通信環境に適するプリセット目標セル識別時間パラメータに従い、目標セル識別が実行される必要のあることを知る。したがって、所要時間長の範囲内で識別を実施するために、識別時間は、識別アルゴリズムを向上すること、測定頻度を増大すること等により短縮され、それにより、セル識別処理を加速し、及びセル識別中の移動距離を短縮する。
【０１０８】
更に留意すべきことに、表４は、本願の単なる一実施形態であり、本願は表４の例に限定されない。つまり、０．０４秒より大きく且つ０．１２８秒を超えないＤＲＸサイクルに対応する目標セル識別時間が２０ＤＲＸサイクルであることに加えて、高速モバイル通信環境に適する目標セル識別時間パラメータは、１５ＤＲＸサイクル、１７ＤＲＸサイクル、１９ＤＲＸサイクル、等であっても良い。目標セル識別時間が非高速モバイル通信環境に対応する目標セル識別時間より小さいならば、セル再選択処理は加速でき、セル再選択中の移動距離は短縮できる。０．０４秒以下のＤＲＸサイクルに対応する目標セル識別時間、及び０．１２８秒より大きく且つ２．５６秒以下のＤＲＸサイクルに対応する目標セル識別時間は、同様に、非高速モバイル通信環境に対応する目標セル識別時間より小さく設定されて良いことが理解できる。これは、本願において限定されない。
【０１０９】
任意的に、ＵＥが接続状態のＵＥであるとき、高速モバイル通信環境に適するプリセットＲＲＭパラメータに従い、ＲＲＭポリシを調整するステップは、プリセット同期／同期外れ評価周期パラメータに従い、無線リンク監視を実行するステップであって、同期／同期外れ評価周期パラメータの中で、０．０１秒より大きく且つ０．０４秒を超えない不連続受信サイクルに対応する同期／同期外れ評価周期パラメータは２０不連続受信サイクルより少なく、０．０４秒より大きく且つ０．６４秒を超えない不連続受信サイクルに対応する同期／同期外れ評価周期パラメータは１０不連続受信サイクルより少なく、又は、０．６４秒より大きく且つ２．５６秒を超えない不連続受信サイクルに対応する同期／同期外れ評価周期パラメータは５不連続受信サイクルより少ない、ステップ、を更に含んで良い。
【０１１０】
具体的に、高速モバイル通信環境に適する同期／同期外れ評価周期パラメータは、ＵＥの製造過程でベンダーにより予め書き込まれて良く、或いは、高速モバイル通信環境に適する同期／同期外れ評価周期パラメータは、製造されるＵＥの同期／同期外れ評価周期パラメータをリフレッシュ又は更新することにより予め設定され、記憶ユニットに格納される。例えば、表５は、無線リンク監視のために使用されるＱｏｕｔ／Ｑｉｎ評価時間の且つ本願の本実施形態で提供される概略パラメータテーブルを示す。
［表５］
【表５】
0006653376.tif 000016
【０１１１】
２つの元の通信パーティが交渉により合意に達した０．０１秒より大きく且つ０．０４秒以下のＤＲＸサイクル、０．０４秒より大きく且つ０．６４秒以下のＤＲＸサイクル、及び０．６４秒より大きく且つ２．５６秒以下のＤＲＸサイクルが、それぞれ同期／同期外れ評価周期パラメータ［ｓ］（不連続受信サイクル）、つまり２０ＤＲＸサイクル、１０ＤＲＸサイクル、及び５ＤＲＸサイクルであるＴＥｖａｌｕａｔｅ＿Ｑｏｕｔ＿ＤＲＸ及びＴＥｖａｌｕａｔｅ＿Ｑｉｎ＿ＤＲＸ（ｓ）（ＤＲＸサイクル）に対応することに基づき、高速モバイル通信環境に適する目標セル識別時間パラメータ（つまり、表５の太字の列）が新たに設定され、それぞれ、２０ＤＲＸサイクル、５ＤＲＸサイクル、及び２ＤＲＸサイクルである。つまり、０．０４秒より大きい不連続受信サイクルに対応する同期／同期外れ評価周期パラメータは、非高速モバイル通信環境における同期／同期外れ評価周期パラメータより小さい。したがって、ＵＥが３５０ｋｍ／ｈの速度で移動する場合、無線リンク監視は、高速モバイル通信環境に適する指定同期／同期外れ評価周期パラメータに従い実行され、同期／同期外れ評価時間は大幅に短縮され、したがって、無線リンク監視がより正確になる。
【０１１２】
留意すべきことに、本願の本実施形態における要件指示情報は、ブロードキャストデータフレームの中で設定されて良い。例えば、アクセスネットワーク装置３０及び各ＵＥは、交渉により、高速モバイル通信環境に適するプリセット同期／同期外れ評価周期パラメータに従い、無線リンク監視を実行するか否かをＵＥに指示するために、１ビットがフィールド間に設定されることの合意に達する。代替で、要件指示情報は、ＲＲＣ専用シグナリングを用いてＵＥへ送信されて良い。つまり、ＲＲＣ専用シグナリングは、高速モバイル通信環境に適する同期／同期外れ評価周期パラメータに従い無線リンク監視を実行するか否かをＵＥに指示するために、要件指示情報としてのビットを伝達して良い。例えば、ビット１（つまり、要件指示情報）は、無線リンク監視が、高速モバイル通信環境に適するプリセット同期／同期外れ評価周期パラメータに従い実行される必要のあることを示し、ビット０は、高速モバイル通信環境に適するプリセット同期／同期外れ評価周期パラメータに従い無線リンク監視が実行される必要のないことを示す。具体的に、要件指示情報の設定については、表２及び表４の実施形態において記載した実装を参照のこと。詳細事項は、ここで再び記載されない。
【０１１３】
つまり、アクセスネットワーク装置３０の送信モジュール３０２は、要件指示情報をＵＥへ送信するために、接続状態のＵＥへダウンリンクでデータフレームをブロードキャストして良く、ブロードキャストデータフレームは要件指示情報と共に提供され、或いは、接続状態のＵＥへ要件指示情報を伝達するＲＲＣシグナリングを送信して良い。高速モバイル通信環境に置かれた接続状態のＵＥが要件指示情報を受信した後に、ＵＥが、高速モバイル通信環境に適するプリセット同期／同期外れ評価周期パラメータに従い無線リンク監視が実行される必要のあることを知った場合、例えば、０．０４秒より大きく且つ０．６４秒以下のＤＲＸサイクルに対応する同期／同期外れ評価周期パラメータが５ＤＲＸサイクルである場合、ＵＥは、評価が５ＤＲＸサイクルで完了した後に、アクセスネットワーク装置３０に評価を報告する。非高速モバイル通信環境における評価のための１０ＤＲＸサイクルと比べて、同期／同期外れ評価時間は短縮でき、同期／同期外れ評価中の移動距離は短縮でき、したがって、無線リンク監視はより正確になる。
【０１１４】
更に留意すべきことに、表５は、本願の単なる一実施形態であり、本願は表５の例に限定されない。つまり、５ＤＲＸサイクルに設定されることに加えて、０．０４秒より大きく且つ０．６４秒以下のＤＲＸサイクルに対応する同期／同期外れ評価周期パラメータは、４ＤＲＸサイクル、６ＤＲＸサイクル、８ＤＲＸサイクル、等にも設定されて良い。同様に、２ＤＲＸサイクルに設定されることに加えて、０．６４秒より大きく且つ２．５６秒以下のＤＲＸサイクルに対応する同期／同期外れ評価周期パラメータは、３ＤＲＸサイクル、１ＤＲＸサイクル、等にも設定されて良い。２０ＤＲＸサイクルに設定されることに加えて、０．０１秒より大きく且つ０．０４秒以下のＤＲＸサイクルに対応する同期／同期外れ評価周期パラメータは、１５ＤＲＸサイクル、１６ＤＲＸサイクル、１９ＤＲＸサイクル、等にも設定されて良い。これは、本願において限定されない。
【０１１５】
任意的に、ＵＥが接続状態のＵＥであるとき、高速モバイル通信環境に適するプリセットＲＲＭパラメータに従い、ＲＲＭポリシを調整するステップは、プリセット測定パラメータに従い、測定報告を実行するステップであって、測定パラメータは２００ミリ秒未満であり、０．０４秒以下の不連続受信サイクルに対応する測定パラメータは２００ミリ秒未満であり、又は、０．０４秒より大きく且つ２．５６秒以下の不連続受信サイクルに対応する測定パラメータは５不連続受信サイクルより少ない、ステップ、を更に含んで良い。
【０１１６】
具体的に、高速モバイル通信環境に適する測定パラメータは、ＵＥの製造過程でベンダーにより予め書き込まれて良く、或いは、高速モバイル通信環境に適する測定パラメータは、製造されるＵＥの測定パラメータをリフレッシュ又は更新することにより予め設定され、記憶ユニットに格納される。
【０１１７】
具体的に、本願の本実施形態における要件指示情報は、ブロードキャストデータフレームの中で設定されて良い。例えば、アクセスネットワーク装置３０及び各ＵＥは、交渉により、高速モバイル通信環境に適するプリセット測定パラメータに従い、測定を実行するか否かをＵＥに指示するために、１ビットがフィールド間に設定されることの合意に達する。代替で、要件指示情報は、ＲＲＣ専用シグナリングを用いてＵＥへ送信されて良い。つまり、ＲＲＣ専用シグナリングは、高速モバイル通信環境に適するプリセット測定パラメータに従い測定報告を実行するか否かをＵＥに指示するために、要件指示情報としてのビットを伝達して良い。例えば、ビット１（つまり、要件指示情報）は、測定報告が、高速モバイル通信環境に適するプリセット測定パラメータに従い実行される必要のあることを示し、ビット０は、測定報告が、高速モバイル通信環境に適するプリセット測定パラメータに従い実行される必要のないことを示す。具体的に、要件指示情報の設定については、表２及び表４の実施形態において記載した実装を参照のこと。詳細事項は、ここで再び記載されない。
【０１１８】
つまり、アクセスネットワーク装置３０の送信モジュール３０２は、要件指示情報をＵＥへ送信するために、接続状態のＵＥへダウンリンクでデータフレームをブロードキャストして良く、ブロードキャストデータフレームは要件指示情報と共に提供され、或いは、接続状態のＵＥへ要件指示情報を伝達するＲＲＣシグナリングを送信して良い。要件指示情報を受信した後に、高速モバイル通信環境に置かれた接続状態のＵＥは、高速モバイル通信環境に適するプリセット測定パラメータに従い、測定報告が実行される必要のあることを知る。したがって、ＵＥは、より短い測定周期を使用する。例えば、参照信号受信電力（Reference  Signal  Receiving  Power、ＲＳＲＰ）の測定周期は２００ｍｓから１００ｍｓに短縮され、参照信号受信品質（ＲＳＳＱ、Reference  Signal  Receiving  Quality）の測定周期は２００ｍｓから１００ｍｓに短縮され、０．０４秒以下の不連続受信サイクルに対応し且つＲＳＲＰの測定パラメータは２００ミリ秒未満であり、０．０４秒より大きく且つ２．５６秒以下の不連続受信サイクルに対応する測定パラメータは５不連続受信サイクルより小さい、等である。ＵＥハンドオーバアルゴリズム及びセル識別アルゴリズムのようなアルゴリズムは、全て、ＵＥ測定に基づき確立される。したがって、ＵＥハンドオーバ処理及びセル識別処理のような処理は、全て、測定により大きく影響される。表６に示され及び本願の本実施形態において提供されるシステムシミュレーションデータから、測定周期適用におけるハンドオーバ失敗率及び無線リンク障害時間数について、知ることができる。
【０１１９】
［表６］
【０１２０】
【表６】
0006653376.tif 000017
高速移動状態では、測定周期が長引くので、ＵＥハンドオーバ失敗率及び無線リンク障害数は顕著に増加する。これは、測定周期が長いほど、ＵＥがハンドオーバをトリガするより長い遅滞時間を示し、遅滞したハンドオーバがＵＥを元のサービングセルから更に遠ざけるためである。したがって、ＵＥが測定報告をサービングｅＮＢへ送信し及びサービングｅＮＢがハンドオーバコマンドをＵＥに配信するときのリンク品質は、劣化し、シグナリング転送成功率は直ちに低下する。結果として、ハンドオーバ性能は低下し、ハンドオーバ失敗及び無線リンク障害が引き起こされ、図４に示され且つ本願の本実施形態において提供される、異なる測定周期適用におけるハンドオーバ失敗率の概略図に特に表される。したがって、本願の本実施形態では、測定報告は、高速モバイル通信環境に適するプリセット測定パラメータに従い実行され、測定周期は短縮され、それにより、ハンドオーバ性能を向上し、ハンドオーバ成功率を増大し、ピンポン効果を軽減し、及び無線リンク障害率を低減する。
【０１２１】
さらに、本願の本実施形態における処理モジュール３００は、時間期間パラメータ指示情報をＵＥへ送信するよう送信モジュール３０２を制御するよう更に構成されて良く、時間期間パラメータ指示情報はＴ３１０タイマの時間期間パラメータを示すために使用され、時間期間パラメータは２秒より大きい。つまり、アクセスネットワーク装置３０は、ＵＥについて、Ｔ３１０タイマの且つ高速モバイル通信環境に適する時間期間パラメータを構成して良く、Ｔ３１０タイマの且つ高速モバイル通信環境に適する時間期間パラメータは、非高速モバイル通信環境におけるＴ３１０タイマの時間期間パラメータより大きい。
【０１２２】
具体的に、構成は、次のように実行されて良い：
【数１１】
0006653376.tif 000018
【０１２３】
Ｔ３１０タイマの時間長であり且つプロトコルにより現在定められている値範囲（つまり、非高速モバイル通信環境におけるＴ３１０タイマの時間期間パラメータ）は、ＥＮＵＭＥＲＡＴＥＤ｛ｍｓ０，ｍｓ５０，ｍｓ１００，ｍｓ２００，ｍｓ５００，ｍｓ１０００，ｍｓ２０００｝であり、つまり、最大時間長は２秒（２０００ｍｓ）である。本願の本実施形態におけるアクセスネットワーク装置３０は、接続状態のＵＥについて、Ｔ３１０タイマの且つ高速モバイル通信環境に適する時間期間パラメータを構成する。Ｔ３１０タイマの、高速モバイル通信環境に適する、且つ接続状態のＵＥのために新たに構成される時間期間パラメータは、非高速モバイル通信環境におけるＴ３１０タイマの時間期間パラメータより大きく、４秒、６秒、又は８秒のように、つまり、値範囲がＥＮＵＭＥＲＡＴＥＤ｛ｍｓ０，ｍｓ５０，ｍｓ１００，ｍｓ２００，ｍｓ５００，ｍｓ１０００，ｍｓ２０００，ｍｓ４０００，ｍｓ６０００，ｍｓ８０００｝であって良い。本願の本実施形態では、トンネル通信環境用途で高速で移動するＵＥは、トンネル内で高速で移動するＵＥを含み、及び高速で移動中の且つトンネルに入ろうとしているＵＥも含む。したがって、アクセスネットワーク装置３０が構成を完了した後に、つまり、ユーザ機器が時間期間パラメータ指示情報を受信した後に、トンネル通信環境の中で高速で移動しているＵＥは、監視により同期外れ（out−of−synchronization、ＯＯＳ）を発見した後に、物理レイヤ問題の検出を可能にし及び無線リンク障害が回復され得るか否かを評価するために、４秒、６秒、又は８秒のようなＴ３１０タイマの且つ高速モバイル通信環境に適する時間期間パラメータを使用する。
【０１２４】
高速鉄道トンネルのシナリオでは、トンネル内の信号品質は極めて粗悪なので、高い呼落ち率、ネットワーク中絶、及び極めて長い回復時間として具現化される無線リンク障害が、ＵＥにおいて通常生じる。これは、無線リンク障害がＵＥにおいて生じた後に、ＵＥがセル選択処理に入るが、セル選択により消費される比較的長い時間がＵＥのリンクを回復する際に大きな遅滞の役割を果たすためである。さらに、多くの高速鉄道シナリオのために専用ネットワーク展開が使用され、無線リンク障害がＵＥにおいて生じた後にセル選択を用いることにより、恐らくすぐ近くの公衆ネットワークが選択される。このように、列車がトンネルを出て、通常通信状態に入るとき、ＵＥは、専用ネットワークに再びハンドオーバされる必要がある。事業者からの実際の測定データを分析することにより、高速鉄道移動状態では、ＵＥが公衆ネットワークから専用ネットワークにハンドオーバされることは極めて困難であることが分かる。これは、列車が非常に高速で移動しており、ＵＥが元のサービングセル（公衆ネットワークｅＮＢ）を非常に速く出るからである。ＬＴＥハンドオーバ処理は、ＵＥと元のｅＮＢとの間を相互に作用するシグナリングを含む。ＵＥと元のｅＮＢとの間距離は急速に増大するので、２者の間のチャネルの品質は非常に粗悪になり、シグナリング相互作用を成功裏に実施することは通常困難である。したがって、ハンドオーバは失敗し、ＵＥは、再びセル選択状態に入り、悪循環を形成する。実際に、トンネル内の無線リンク品質が非常に粗悪な状況は、列車がトンネルを出ると通常改善され、永続的な状況ではない。したがって、本願の本実施形態では、無線リンク障害後の公衆ネットワークの再選択を回避するために、ＵＥが無線リンク障害についての評価時間を延長でき、トンネル内の無線リンク監視のロバスト性はある程度向上できるように、Ｔ３１０タイマの且つ高速モバイル通信環境に適する時間期間パラメータが、接続状態のＵＥのために構成される。
【０１２５】
更に留意すべきことに、前述の実施形態は、任意の形式で互いに結合されて良い。例えば、表２及び表３の実施形態が結合され、表２及び表５が結合され、表２、表３、及び表４が結合される、等である。これは、本願において限定されない。
【０１２６】
本願の本実施形態を実施することにより、アクセスネットワーク装置は、要件指示情報を生成し、要件指示情報をセルのカバレッジ内にいるＵＥへ送信する。要件指示情報を受信した後に、ＵＥが非常に高速で移動するので、ＵＥが目標セルを通過するがＲＲＭを良好に完了することに失敗するという従来技術の問題を解決するために、ＵＥは、要件指示情報に従い、高速モバイル通信環境に適するＲＲＭ要件が満たされる必要のあることを決定する。高速モバイル通信環境におけるＲＲＭ要件を満たし、及びネットワーク性能を保証し及び向上するために、周波数内セル再選択時間を短縮し、目標セル識別時間を短縮し、同期／同期外れ評価時間を短縮し、又は測定周期を短縮するよう、ＵＥは、高速モバイル通信環境に適するプリセットＲＲＭパラメータに従い、ＲＲＭポリシを調整できる。
【０１２７】
本願の本実施形態で提供されるアクセスネットワーク装置は、以上に詳細に記載され、ＵＥ側の構造は相応して以下に図３に示される本願の一実施形態で提供されるユーザ機器の概略構造図を参照して記載される。ユーザ機器５０は、受信モジュール５００と、処理モジュール５０２と、を有する。
【０１２８】
受信モジュール５００は、アクセスネットワーク装置により送信される要件指示情報を受信するよう構成される。ここで、要件指示情報は、ＵＥが高速モバイル通信環境に適する無線リソース管理ＲＲＭ要件を満たす必要のあることを示すために使用される。
【０１２９】
処理モジュール５０２は、要件指示情報に従い、高速モバイル通信環境に適するＲＲＭ要件が満たされる必要のあることを決定するよう構成される。
【０１３０】
具体的に、アクセスネットワーク装置は、アクセスネットワーク装置のセルのカバレッジ内にいるＵＥへダウンリンクでデータフレームをブロードキャストすることにより、ユーザ機器５０へ要件指示情報を送信して良い。つまり、要件指示情報は、ブロードキャストデータフレームの中に設定されて良い。代替で、接続状態のユーザ機器５０のために、アクセスネットワーク装置は、ＲＲＣ専用シグナリングを用いて、アクセスネットワーク装置のセルのカバレッジ内にいるＵＥへ要件指示情報を送信して良い。つまり、要件指示情報は、ＲＲＣ専用シグナリングの中で設定されて良い。代替で、アクセスネットワーク装置は、ネットワークインタフェースを用いて、ユーザ機器５０へ要件指示情報を独立に直接送信して良い。つまり、処理モジュール５０２は、ダウンリンクでブロードキャストされるデータフレームからの要件指示情報をパースし、ＲＲＣ専用シグナリングからの要件指示情報をパースし、又は受信した要件指示情報を直接パースして、高速モバイル通信環境に適するＲＲＭ要件が満たされる必要のあることが決定された後に、高速モバイル通信環境に適するＲＲＭ要件を満たすために、処理モジュール５０２の性能に従い、周波数内セル再選択、目標セル識別、無線リンク監視、測定報告、等を強化して良い。
【０１３１】
要件指示情報、高速モバイル通信環境に適するＲＲＭ要件、及びアクセスネットワーク装置が調整指示情報を本願の本実施形態におけるＵＥへ送信する特定の実装については、前述のアクセスネットワーク装置の実施形態における記載を参照のこと。詳細事項は、ここで再び記載されない。
【０１３２】
本願の本実施形態を実施することにより、アクセスネットワーク装置は、要件指示情報を生成し、要件指示情報をセルのカバレッジ内にいるＵＥへ送信する。要件指示情報を受信した後に、ＵＥが非常に高速で移動するので、ＵＥが目標セルを通過するがＲＲＭを良好に完了することに失敗するという従来技術の問題を解決するために、ＵＥは、要件指示情報に従い、高速モバイル通信環境に適するＲＲＭ要件が満たされる必要のあることを決定する。高速モバイル通信環境におけるＲＲＭ要件を満たし、及びネットワーク性能を保証し及び向上するために、周波数内セル再選択時間を短縮し、目標セル識別時間を短縮し、同期／同期外れ評価時間を短縮し、又は測定周期を短縮するよう、ＵＥは、高速モバイル通信環境に適するプリセットＲＲＭパラメータに従い、ＲＲＭポリシを調整できる。
【０１３３】
さらに、処理モジュール５０２は、高速モバイル通信環境に適するプリセットＲＲＭパラメータに従い、ＲＲＭポリシを調整するよう更に構成されて良い。
【０１３４】
具体的に、ユーザ機器５０の受信モジュール５００が要件指示情報を受信した後に、及び要件指示情報をパースした後に、処理モジュール５０２は、高速モバイル通信環境に適するＲＲＭ要件を満たすために、高速モバイル通信環境に適するプリセットＲＲＭパラメータに従い、ＲＲＭポリシを直接調整して良い。
【０１３５】
代替で、処理モジュール５０２は、処理モジュール５０２の現在性能が高速モバイル通信環境に適するＲＲＭ要件をサポートできるか否かを決定するために、先ず、要件指示情報に従い決定を実行して良い。そして、処理モジュール５０２の現在性能が高速モバイル通信環境に適するＲＲＭ要件をサポートできない場合にのみ、高速モバイル通信環境に適するＲＲＭ要件を満たすために、処理モジュール５０２は、高速モバイル通信環境に適するプリセットＲＲＭパラメータに従いＲＲＭポリシを調整する。
【０１３６】
例えば、アクセスネットワーク装置により送信された要件指示情報は、速度レベル情報を含んで良く、速度レベル情報は、高速モバイル通信環境の速度レベルを示すために使用される。速度レベル情報は、具体的に、速度範囲情報であって良い。つまり、アクセスネットワーク装置及びユーザ機器５０は、事前交渉により、複数の速度範囲を決定する。具体的に、相応して、前述のアクセスネットワーク装置の実施形態における記載を参照する。詳細事項は、ここで再び記載されない。ユーザ機器５０の受信モジュール５００が速度レベル情報を受信した後に、処理モジュール５０２は、具体的に、速度レベル情報及び処理モジュール５０２の性能に従い、高速モバイル通信環境に適するＲＲＭ要件が満たされ得るか否かを決定する。例えば、ユーザ機器５０が比較的高性能を有し、並びに、現在移動速度が比較的高いが、ＵＥが依然として現在移動速度環境においてＲＲＭ要件をサポートできる場合、ユーザ機器５０は、高速モバイル通信環境に適するＲＲＭ要件は現在満たされ得ると決定する。ユーザ機器５０が現在移動速度環境においてＲＲＭ要件をサポートできない場合、ユーザ機器５０は、高速モバイル通信環境に適するＲＲＭ要件が現在満たされ得ないこと、及び高速モバイル通信環境に適するＲＲＭ要件を満たすために、ユーザ機器５０が高速モバイル通信環境に適するプリセットＲＲＭパラメータに従いＲＲＭポリシを調整する必要のあることを決定する。
【０１３７】
別の例では、アクセスネットワーク装置により送信される要件指示情報は、高速専用セル識別子の範囲情報を含んで良く、高速専用セル識別子の範囲情報は、高速モバイル通信環境の中に位置するセルを示すために使用される。ＵＥがアクセスネットワーク装置のセルカバレッジに入る、例えば、アイドル状態のＵＥがセル選択若しくはセル再選択によりアクセスネットワーク装置のセルカバレッジに留まる、又は接続状態のＵＥがハンドオーバ若しくはＲＲＣ再構成によりアクセスネットワーク装置のセルカバレッジにアクセスするとき、ＵＥは、高速専用セル識別子の範囲情報を用いることにより、高速専用セルに属するセルを通知される。具体的に、相応して、前述のアクセスネットワーク装置の実施形態における記載を参照する。詳細事項は、ここで再び記載されない。ユーザ機器５０の受信モジュール５００が高速専用セル識別子の範囲情報を受信した後に、処理モジュール５０２は、現在アクセスされているセルのセル識別子が高速専用セル識別子の範囲（PhysCellIdRange）内に含まれるか否かを決定し、含まれない場合、現在アクセスされているセルのセル識別子は高速専用セル識別子の範囲に含まれないことを決定し、高速モバイル通信環境に適するＲＲＭ要件が満たされる必要のないことを決定し、その他の場合、現在アクセスされているセルのセル識別子は高速専用セル識別子の範囲に含まれることを決定し、つまり、高速モバイル通信環境に適するＲＲＭ要件を満たすために、高速モバイル通信環境に適するプリセットＲＲＭパラメータに従いＲＲＭポリシが調整される必要のあることを決定する。
【０１３８】
さらに、図６は、本願によるユーザ機器の別の実施形態の概略構造図を示す。受信モジュール５００及び処理モジュール５０２を含むことに加えて、ユーザ機器５０は、高速調整能力情報をアクセスネットワーク装置に報告するよう構成される送信モジュール５０４を更に含んで良い。ここで、高速調整能力情報は、ＵＥが高速モバイル通信環境に適するＲＲＭ要件をサポートする能力を有することを示すために使用される。したがって、高速調整能力情報を受信した後に、アクセスネットワーク装置は、要件指示情報をユーザ機器へ送信する。
【０１３９】
具体的に、送信モジュール５０４は、ネットワークのＲＲＣ専用シグナリングを使用することにより、例えば、以下のＩＥを追加することにより、アクセスネットワーク装置に高速調整能力情報を報告して良い：
【数１２】
0006653376.tif 000019
【０１４０】
アクセスネットワーク装置は、ユーザ機器５０により報告された高速調整能力情報を受信した後にのみ、調整情報をユーザ機器５０へ送信する。具体的に、相応して、前述のアクセスネットワーク装置の実施形態における記載を参照する。詳細事項は、ここで再び記載されない。
【０１４１】
さらに、アクセスネットワーク装置は、ＵＥについて、高速モバイル通信環境に適する少なくとも１つの不連続受信サイクルを予め構成して良く、高速モバイル通信環境に適する不連続受信サイクルは、０．３２秒未満である。つまり、受信モジュール５００は、不連続受信サイクル指示情報をアクセスネットワーク装置から受信するよう更に構成され、不連続受信サイクル指示情報は不連続受信サイクルを示すために使用され、不連続受信サイクルは０．３２秒未満であり、処理モジュール５０２は、ユーザ機器５０がアイドル状態であるとき、不連続受信サイクルに従い周波数内セル再選択を実行するよう更に構成される。
【０１４２】
具体的に、ＵＥが高速モバイル通信環境に適し且つ表１の実施形態における要件指示情報により示される不連続受信サイクルに従い、周波数内セル再選択をどのように実行するかに関する実装を参照する。詳細事項は、ここで再び記載されない。
【０１４３】
さらに、処理モジュール５０２は、ユーザ機器５０がアイドル状態であるとき、セル再選択処理のプリセット評価時間パラメータに従い、周波数内セル再選択を実行するよう更に構成されて良い。ここで、セル再選択処理の評価時間パラメータの中で、２．５６秒の不連続受信サイクルに対応する評価時間パラメータは７．６８秒未満であり、１．２８秒の不連続受信サイクルに対応する評価時間パラメータは６．４秒未満であり、０．６４秒の不連続受信サイクルに対応する評価時間パラメータは５．１２秒未満であり、又は、０．３２秒の不連続受信サイクルに対応する評価時間パラメータは５．１２秒未満である。
【０１４４】
具体的に、ＵＥがセル再選択処理の且つ表２の実施形態における高速モバイル通信環境に適する評価時間パラメータを用いて、要件指示情報に従い、周波数内セル再選択をどのように実行するかに関する実装を参照する。詳細事項は、ここで再び記載されない。
【０１４５】
さらに、処理モジュール５０２は、ユーザ機器５０がアイドル状態であるとき、セル再選択処理のプリセット識別時間パラメータに従い、周波数内セル再選択を実行するよう更に構成される。ここで、セル再選択処理の識別時間パラメータは、２０不連続受信サイクルより少ない。
【０１４６】
具体的に、ＵＥがセル再選択処理の且つ表３の実施形態における高速モバイル通信環境に適する識別時間パラメータを用いて、要件指示情報に従い、周波数内セル再選択をどのように実行するかに関する実装を参照する。詳細事項は、ここで再び記載されない。
【０１４７】
さらに、処理モジュール５０２は、ユーザ機器５０が接続状態であるとき、プリセット目標セル識別時間パラメータに従い、目標セル識別を実行するよう更に構成されて良い。ここで、目標セル識別時間パラメータの中で、０．０４秒の不連続受信サイクルに対応する目標セル識別時間パラメータは０．８秒未満であり、０．０４秒より大きく且つ０．０８秒を超えない不連続受信サイクルに対応する目標セル識別時間パラメータは４０不連続受信サイクルより少なく、０．１２８秒の不連続受信サイクルに対応する目標セル識別時間パラメータは２５不連続受信サイクルより少なく、又は、０．１２８秒より大きく且つ２．５６秒を超えない不連続受信サイクルに対応する目標セル識別時間パラメータは２０不連続受信サイクルより少ない。
【０１４８】
具体的に、ＵＥが表４の実施形態における高速モバイル通信環境に適する目標セル識別時間パラメータを用いて、要件指示情報に従い、目標セル識別をどのように実行するかに関する実装を参照する。詳細事項は、ここで再び記載されない。
【０１４９】
さらに、処理モジュール５０２は、ユーザ機器５０が接続状態であるとき、プリセット同期／同期外れ評価周期パラメータに従い、無線リンク監視を実行するよう更に構成されて良い。ここで、同期／同期外れ評価周期パラメータの中で、０．０１秒より大きく且つ０．０４秒を超えない不連続受信サイクルに対応する同期／同期外れ評価周期パラメータは２０不連続受信サイクルより少なく、０．０４秒より大きく且つ０．６４秒を超えない不連続受信サイクルに対応する同期／同期外れ評価周期パラメータは１０不連続受信サイクルより少なく、又は、０．６４秒より大きく且つ２．５６秒を超えない不連続受信サイクルに対応する同期／同期外れ評価周期パラメータは５不連続受信サイクルより少ない。
【０１５０】
具体的に、ＵＥが表５の実施形態における高速モバイル通信環境に適する同期／同期外れ評価周期パラメータを用いて、要件指示情報に従い、無線リンク監視をどのように実行するかに関する実装を参照する。詳細事項は、ここで再び記載されない。
【０１５１】
さらに、処理モジュール５０２は、ユーザ機器５０が接続状態であるとき、プリセット測定パラメータに従い、測定報告を実行するよう更に構成されて良い。ここで、測定パラメータは２００ミリ秒未満であり、０．０４秒以下の不連続受信サイクルに対応する測定パラメータは２００ミリ秒未満であり、又は、０．０４秒より大きく且つ２．５６秒以下の不連続受信サイクルに対応する測定パラメータは５不連続受信サイクルより少ない。
【０１５２】
具体的に、ＵＥが表６の実施形態における高速モバイル通信環境に適する測定パラメータを用いて、要件指示情報に従い、測定報告をどのように実行するかに関する実装を参照する。詳細事項は、ここで再び記載されない。
【０１５３】
さらに、受信モジュール５００は、ネットワークアクセス装置から時間期間パラメータ指示情報を受信するよう更に構成されて良い。ここで、時間期間パラメータ指示情報はＴ３１０タイマの時間期間パラメータを示すために使用され、時間期間パラメータは２秒より大きい。
【０１５４】
処理モジュール５０２は、ユーザ機器５０がトンネル通信環境において接続状態であるとき、Ｔ３１０タイマの時間期間パラメータを用いて物理レイヤ問題の検出を有効にするよう更に構成されて良い。
【０１５５】
具体的に、ＵＥが、Ｔ３１０タイマの且つ前述のアクセスネットワーク装置３０の実施形態における高速モバイル通信環境に適する時間期間パラメータを用いて、物理レイヤ問題の検出をどのように有効にするかに関する実装を参照する。詳細事項は、ここで再び記載されない。
【０１５６】
留意すべきことに、前述の実施形態は、任意の形式で互いに結合されて良い。これは、本願において限定されない。
【０１５７】
本願の本実施形態を実施することにより、アクセスネットワーク装置は、要件指示情報を生成し、要件指示情報をセルのカバレッジ内のＵＥへ送信する。要件指示情報を受信した後に、ＵＥが非常に高速で移動するので、ＵＥが目標セルを通過するがＲＲＭを良好に完了することに失敗するという従来技術の問題を解決するために、ＵＥは、要件指示情報に従い、高速モバイル通信環境に適するＲＲＭ要件が満たされる必要のあることを決定する。高速モバイル通信環境におけるＲＲＭ要件を満たし、及びネットワーク性能を保証し及び向上するために、周波数内セル再選択時間を短縮し、目標セル識別時間を短縮し、同期／同期外れ評価時間を短縮し、又は測定周期を短縮するよう、ＵＥは、高速モバイル通信環境に適する既定ＲＲＭパラメータに従い、ＲＲＭポリシを調整できる。
【０１５８】
図７に示される、本願によるアクセスネットワーク装置の別の実施形態の概略構造図を参照すると、アクセスネットワーク装置７０は、入力装置７００、出力装置７０２、メモリ７０４、及びプロセッサ７０６（アクセスネットワーク装置７０の中には１又は複数のプロセッサ７０６が存在して良く、図７では１つのプロセッサが一例として使用される）を含む。本願の幾つかの実施形態では、入力装置７００、出力装置７０２、メモリ７０４、及びプロセッサ７０６は、バスを用いて又は別の方法で接続されて良い。図７では、接続がバスを用いて実施される一例が使用される。
【０１５９】
具体的に、プロセッサ７０６の特定の機能及び実行ステップについては、前述のアクセスネットワーク装置３０における処理モジュール３００の実装を参照し、出力装置７０２の特定の機能及び実行ステップについては、前述のアクセスネットワーク装置３０における送信モジュール３０２の実装を参照し、入力装置７００の特定の機能及び実行ステップについては、前述のアクセスネットワーク装置３０における受信モジュールの実装を参照する。詳細事項は、ここで再び記載されない。
【０１６０】
図８に示される、本願によるユーザ機器の別の実施形態の概略構造図を参照すると、ユーザ機器８０は、入力装置８００、出力装置８０２、メモリ８０４、及びプロセッサ８０６（ユーザ機器８０の中には１又は複数のプロセッサ８０６が存在して良く、図８では１つのプロセッサが一例として使用される）を含む。本願の幾つかの実施形態では、入力装置８００、出力装置８０２、メモリ８０４、及びプロセッサ８０６は、バスを用いて又は別の方法で接続されて良い。図８では、接続がバスを用いて実施される一例が使用される。
【０１６１】
具体的に、プロセッサ８０６の特定の機能及び実行ステップについては、前述のユーザ機器５０における処理モジュール５０２の実装を参照し、出力装置８０２の特定の機能及び実行ステップについては、前述のユーザ機器５０における送信モジュール５０４の実装を参照し、入力装置８００の特定の機能及び実行ステップについては、前述のユーザ機器５０における受信モジュール５００の実装を参照する。詳細事項は、ここで再び記載されない。
【０１６２】
図９に示される、本願の一実施形態による通信システムの概略構造図を参照すると、通信システム９０は、少なくとも１つのアクセスネットワーク装置９００、及び少なくとも１つのユーザ機器９０２を含み、図９では、通信システム９０が１つのアクセスネットワーク装置９００及び１つのユーザ機器９０２を含む一例が説明のために使用される。図２の適用シナリオに示すように、ユーザは、ユーザ機器９０２を持ち運び、高速列車のような高速で移動する車両に乗り込み、ユーザ機器９０２は、アクセスネットワーク装置９００に接続し及び相互作用することにより、別のユーザ機器と通信する。
【０１６３】
アクセスネットワーク装置９００は、要件指示情報を生成し、要件指示情報は、ユーザ機器９０２が高速モバイル通信環境に適する無線リソース管理ＲＲＭ要件を満たす必要のあることを示すために使用され、ユーザ機器９０２が高速モバイル通信環境に適するＲＲＭ要件がサポートされる必要のあることを知ることができるように、セルのカバレッジ内のユーザ機器９０２へ要件指示情報を送信する。
【０１６４】
ユーザ機器９０２は、アクセスネットワーク装置９００により送信された要件指示情報を受信し、要件指示情報に従い、高速モバイル通信環境に適するＲＲＭ要件が満たされる必要のあることを決定する。
【０１６５】
具体的に、アクセスネットワーク装置９００の構造及び機能は、アクセスネットワーク装置３０又はアクセスネットワーク装置７０の実施形態における記載に従い具体的に実装されて良い。詳細事項は、ここで再び記載されない。ユーザ機器９０２の構造及び機能は、ユーザ機器５０又はユーザ機器８０の実施形態における記載に従い具体的に実装されて良い。詳細事項は、ここで再び記載されない。
【０１６６】
相応して、図１０は、本願の一実施形態による通信方法の概略フローチャートである。同じ内容については、前述の実施形態における記載を参照のこと。詳細事項は、ここで再び記載されない。方法は以下のステップを有する。
【０１６７】
ステップＳ１００：アクセスネットワーク装置は、要件指示情報を生成する。
【０１６８】
具体的に、要件指示情報は、ユーザ機器ＵＥが、高速モバイル通信環境に適する無線リソース管理ＲＲＭ要件を満たす必要のあることを示すために使用される。要件指示情報の詳細については、前述のアクセスネットワーク装置３０の実施形態における関連する記載を参照する。詳細事項は、ここで再び記載されない。
【０１６９】
ステップＳ１０２：アクセスネットワーク装置は、セルのカバレッジ内のＵＥへ、要件指示情報を送信する。
【０１７０】
具体的に、アクセスネットワーク装置は、無線リソース制御ＲＲＣ専用シグナリングをセルのカバレッジ内のＵＥへ送信し、ＲＲＣ専用シグナリングは要件指示情報を伝達し、又は、システムメッセージをセルのカバレッジ内のＵＥへ送信し、システムメッセージは要件指示情報を伝達して良い。具体的に、前述のアクセスネットワーク装置３０の実施形態における記載を参照する。詳細事項は、ここで再び記載されない。
【０１７１】
ステップＳ１０４：ユーザ機器は、アクセスネットワーク装置により送信された要件指示情報を受信する。
【０１７２】
ステップＳ１０６：要件指示情報に従い、高速モバイル通信環境に適するＲＲＭ要件が満たされる必要のあることを決定する。
【０１７３】
具体的に、要件指示情報を受信した後に、ユーザ機器は、高速モバイル通信環境に適するＲＲＭ要件が満たされる必要のあることを知り、高速モバイル通信環境に適するＲＲＭ要件を満たすために、ユーザ機器の性能に従い、周波数内セル再選択、目標セル識別、無線リンク監視、測定報告、等を拡張して良い。
【０１７４】
任意で、要件指示情報をセルのカバレッジ内のＵＥへ送信するステップＳ１００の前に、方法は、ＵＥが高速モバイル通信環境に適するＲＲＭ要件をサポートする能力を有することを示すために、ユーザ機器により、高速調整能力情報をアクセスネットワーク装置に報告するステップを更に含んで良い。アクセスネットワーク装置が、セルのカバレッジ内のＵＥにより報告された高速調整能力情報を受信した後に、要件指示情報をセルのカバレッジ内のＵＥへ送信するステップＳ１００は、具体的に、受信した高速調整能力情報に従い、要件指示情報を、高速調整能力を有するＵＥへ送信するステップを含んで良い。
【０１７５】
さらに、要件指示情報を受信した後に、高速モバイル通信環境に適するＲＲＭ要件を満たすために、ＵＥは、高速モバイル通信環境に適するプリセットＲＲＭパラメータに従い、ＲＲＭポリシを直接調整して良い。代替で、ＵＥは、ＵＥの現在性能が高速モバイル通信環境に適するＲＲＭ要件を満たすことができるか否かを決定するために、先ず、要件指示情報に従い決定を実行して良い。そして、ＵＥの現在性能が高速モバイル通信環境に適するＲＲＭ要件を満たすことができない場合にのみ、高速モバイル通信環境に適するＲＲＭ要件を満たすために、ＵＥは、高速モバイル通信環境に適するプリセットＲＲＭパラメータに従いＲＲＭポリシを調整する。
【０１７６】
例えば、要件指示情報は、速度レベル情報を含んで良い。図１１に示される、本願による通信方法の別の実施形態の概略フローチャートは、ＵＥが、要件指示情報に従い、高速モバイル通信環境に適するＲＲＭ要件が満たされ得るか否かをどのように決定するかを具体的に説明する。方法は以下のステップを有する。
【０１７７】
ステップＳ１１０：ユーザ機器は、アクセスネットワーク装置により送信された要件指示情報を受信する。
【０１７８】
ステップＳ１１２：速度レベル情報を得るために、要件指示情報をパースする。
【０１７９】
ステップＳ１１４：速度レベル情報及びユーザ機器の性能に従い、高速モバイル通信環境に適するＲＲＭ要件が現在満たされ得るか否かを決定する。
【０１８０】
具体的に、速度レベル情報については、前述のアクセスネットワーク装置３０の実施形態における記載を参照する。詳細事項は、ここで再び記載されない。ＵＥは、速度レベル情報に従い、高速モバイル通信環境に適するＲＲＭ要件が満たされることを決定する必要がある。具体的に、ＵＥが比較的高性能を有し、並びに、現在移動速度が比較的高いが、ＵＥが依然として現在移動速度環境においてＲＲＭ要件をサポートできる場合、ＵＥは、高速モバイル通信環境に適するＲＲＭ要件は現在満たされ得ると決定し、次に、調整処理を終了し、現在状態に従い通信を続けて良い。ＵＥが、現在移動速度環境においてＲＲＭ要件をサポートできない場合、ＵＥは、高速モバイル通信環境に適するＲＲＭ要件が現在満たされ得ないことを決定し、ステップＳ１１６を実行する。
【０１８１】
ステップＳ１１６：高速モバイル通信環境に適するプリセットＲＲＭパラメータに従い、ＲＲＭポリシを調整する。
【０１８２】
別の例では、要件指示情報は、高速専用セル識別子の範囲情報を含む。図１２に示される、本願による通信方法の別の実施形態の概略フローチャートは、ＵＥが、要件指示情報に従い、高速モバイル通信環境に適するＲＲＭ要件が満たされ得るか否かをどのように決定するかを具体的に説明する。方法は以下のステップを有する。
【０１８３】
ステップＳ１２０：ユーザ機器は、アクセスネットワーク装置により送信された要件指示情報を受信する。
【０１８４】
ステップＳ１２２：高速専用セル識別子の範囲情報を得るために、要件指示情報をパースする。
【０１８５】
ステップＳ１２４：高速専用セル識別子の範囲情報に従い、現在アクセスされているセルのセル識別子が高速専用セル識別子の範囲内に含まれるか否かを決定する。
【０１８６】
具体的に、高速専用セル識別子の範囲情報の関連する説明については、前述のアクセスネットワーク装置３０の実施形態における実装を参照する。詳細事項は、ここで再び記載されない。ＵＥが、現在アクセスされているセルのセル識別子が高速専用セル識別子の範囲内に含まれないことを決定した場合、これは、ＵＥが高速モバイル通信環境内にいないことを示し、次に、ＵＥは調整処理を終了し、通常状態に従い通信を続けて良い。その他の場合、ＵＥが、現在アクセスされているセルのセル識別子が高速専用セル識別子の範囲内にあることを決定した場合、これは、ＵＥが高速モバイル通信環境内にいることを示し、次に、ＵＥは、高速モバイル通信環境に適するＲＲＭ要件が満たされる必要のあることを決定し、ステップＳ１２６を実行する。
【０１８７】
ステップＳ１２６：高速モバイル通信環境に適するプリセットＲＲＭパラメータに従い、ＲＲＭポリシを調整する。
【０１８８】
さらに、ＵＥが、高速モバイル通信環境に適するＲＲＭ要件が満たされる必要のあることを知った後、高速モバイル通信環境に適するＲＲＭ要件を満たすために、ＵＥが高速モバイル通信環境に適するプリセットＲＲＭパラメータに従いＲＲＭポリシを調整する必要のあるとき、具体的に調整をどのように実行するかが、一例を用いて記載される。
【０１８９】
１．ユーザ機器は、アクセスネットワーク装置から不連続受信サイクル指示情報を受信する。ここで、不連続受信サイクル指示情報は、不連続受信サイクルを示すために使用され、不連続受信サイクルは０．３２秒未満である。つまり、アクセスネットワーク装置３０が、ＵＥに対して、高速モバイル通信環境に適する少なくとも１つの不連続受信サイクルを予め構成するとき、高速モバイル通信環境に適する不連続受信サイクルが０．３２秒未満である場合、要件指示情報を受信した後に、アイドル状態のＵＥは、周波数内セル再選択時間を短縮するために、高速モバイル通信環境に適する構成された不連続受信サイクルに従い、周波数内セル再選択を実行して良い。
【０１９０】
２．周波数内セル再選択は、ユーザ機器５０がアイドル状態であるとき、セル再選択処理のプリセット評価時間パラメータに従い実行されて良い。ここで、セル再選択処理の評価時間パラメータの中で、２．５６秒の不連続受信サイクルに対応する評価時間パラメータは７．６８秒未満であり、１．２８秒の不連続受信サイクルに対応する評価時間パラメータは６．４秒未満であり、０．６４秒の不連続受信サイクルに対応する評価時間パラメータは５．１２秒未満であり、又は、０．３２秒の不連続受信サイクルに対応する評価時間パラメータは５．１２秒未満である。
【０１９１】
３．周波数内セル再選択は、ユーザ機器がアイドル状態であるとき、セル再選択処理のプリセット識別時間パラメータに従い実行されて良い。ここで、セル再選択処理の識別時間パラメータは、２０不連続受信サイクルより少ない。
【０１９２】
４．目標セル識別は、ユーザ機器が接続状態であるとき、プリセット目標セル識別時間パラメータに従い実行されて良い。ここで、目標セル識別時間パラメータの中で、０．０４秒の不連続受信サイクルに対応する目標セル識別時間パラメータは０．８秒未満であり、０．０４秒より大きく且つ０．０８秒を超えない不連続受信サイクルに対応する目標セル識別時間パラメータは４０不連続受信サイクルより少なく、０．１２８秒の不連続受信サイクルに対応する目標セル識別時間パラメータは２５不連続受信サイクルより少なく、又は、０．１２８秒より大きく且つ２．５６秒を超えない不連続受信サイクルに対応する目標セル識別時間パラメータは２０不連続受信サイクルより少ない。
【０１９３】
５．無線リンク監視は、ユーザ機器が接続状態であるとき、プリセット同期／同期外れ評価周期パラメータに従い実行されて良い。ここで、同期／同期外れ評価周期パラメータの中で、０．０１秒より大きく且つ０．０４秒を超えない不連続受信サイクルに対応する同期／同期外れ評価周期パラメータは２０不連続受信サイクルより少なく、０．０４秒より大きく且つ０．６４秒を超えない不連続受信サイクルに対応する同期／同期外れ評価周期パラメータは１０不連続受信サイクルより少なく、又は、０．６４秒より大きく且つ２．５６秒を超えない不連続受信サイクルに対応する同期／同期外れ評価周期パラメータは５不連続受信サイクルより少ない。
【０１９４】
６．測定報告は、ユーザ機器が接続状態であるとき、プリセット測定パラメータに従い実行されて良い。ここで、測定パラメータは２００ミリ秒未満であり、０．０４秒以下の不連続受信サイクルに対応する測定パラメータは２００ミリ秒未満であり、又は、０．０４秒より大きく且つ２．５６秒以下の不連続受信サイクルに対応する測定パラメータは５不連続受信サイクルより少ない。
【０１９５】
７．ユーザ機器は、ネットワークアクセス装置から時間期間パラメータ指示情報を受信する。ここで、時間期間パラメータ指示情報はＴ３１０タイマの時間期間パラメータを示すために使用され、時間期間パラメータは２秒より大きい。つまり、アクセスネットワーク装置が、ＵＥに対して、Ｔ３１０タイマの且つ高速モバイル通信環境に適する時間期間パラメータを予め構成するとき、Ｔ３１０タイマの且つ高速モバイル通信環境に適する時間期間パラメータが非高速モバイル通信環境におけるＴ３１０タイマの時間期間パラメータより大きい場合、トンネル通信環境において接続状態のＵＥは、無線リンクが回復されるか否かにつての監視の時間長を延長するために、Ｔ３１０タイマの且つ高速モバイル通信環境に適する時間期間パラメータを用いて、物理レイヤ問題の検出を有効にして良い。
【０１９６】
留意すべきことに、前述の方法の実施形態の特定の実装については、相応して、アクセスネットワーク装置及びユーザ機器の実施形態の記載を参照する。詳細事項は、ここで再び記載されない。
【０１９７】
本願の実施形態を実施することにより、アクセスネットワーク装置は、要件指示情報を生成し、要件指示情報をセルのカバレッジ内のＵＥへ送信し、そして、要件指示情報を受信した後に、ＵＥが非常に高速で移動するので、ＵＥが目標セルを通過するがＲＲＭを良好に完了することに失敗するという従来技術の問題を解決するために、ＵＥは、要件指示情報に従い、高速モバイル通信環境に適するＲＲＭ要件が満たされる必要のあることを決定する。高速モバイル通信環境におけるＲＲＭ要件を満たし、及びネットワーク性能を保証し及び向上するために、周波数内セル再選択時間を短縮し、目標セル識別時間を短縮し、同期／同期外れ評価時間を短縮し、又は測定周期を短縮するよう、ＵＥは、高速モバイル通信環境に適するプリセットＲＲＭパラメータに従い、ＲＲＭポリシを調整できる。
【図１】
0006653376.tif 000020
【図２】
0006653376.tif 000021
【図３】
0006653376.tif 000022
【図４】
0006653376.tif 000023
【図５】
0006653376.tif 000024
【図６】
0006653376.tif 000025
【図７】
0006653376.tif 000026
【図８】
0006653376.tif 000027
【図９】
0006653376.tif 000028
【図１０】
0006653376.tif 000029
【図１１】
0006653376.tif 000030
【図１２】
0006653376.tif 000031